(57)【要約】      （修正有）【課題】発電システムの構成要素の残存耐用年数ＲＵＬを判定し、運用リスクを最小限にすることによって、性能を最適化するシステムを提供する。【解決手段】発電プラントシステムの動作中に構成要素の動作異常の発生を判定するステップＰ４と、動作異常が発生しなかったと判定した場合、構成要素またはシステムの少なくとも１つの動作特性に基づいて構成要素の第１の動作信頼度を判定するステップＰ５と、動作異常が発生したと判定した場合、判定された動作異常と構成要素、またはシステムの少なくとも１つの動作特性とに基づいて構成要素の第２の動作信頼度を判定するステップＰ１２と、第１の動作信頼度または第２の動作信頼度の一方が所定の動作信頼度閾値を超えるた場合、システムの動作を調整するステップＰ７、Ｐ１３と、を含む処理を実行する。【選択図】図２
2018185803.tif 000002
【特許請求の範囲】
【請求項１】
システム（１０）であって、
構成要素（３６）を含む発電プラントシステム（１２）と、
前記発電プラントシステム（１２）と通信する少なくとも１つのコンピューティングデバイス（６６）とを備え、前記少なくとも１つのコンピューティングデバイス（６６）が、
前記発電プラントシステム（１２）の動作中に前記構成要素（３６）の動作異常（１２４）が発生したかどうかを判定するステップと、
前記動作異常（１２４）が発生しなかったと判定したことに応じて、
前記構成要素（３６）、または前記発電プラントシステム（１２）の少なくとも１つの動作特性（１２２）に基づいて前記構成要素（３６）の第１の動作信頼度（１２８）を判定するステップと、
前記動作異常（１２４）が発生したと判定したことに応じて、
前記判定された動作異常（１２４）と、前記構成要素（３６）、または前記発電プラントシステム（１２）の少なくとも１つの前記動作特性（１２２）とに基づいて前記構成要素（３６）の第２の動作信頼度（１２８）を判定するステップと、
前記第１の動作信頼度（１２８）または前記第２の動作信頼度（１２８）の一方が所定の動作信頼度閾値（１３０）を超えることに応じて、前記発電プラントシステム（１２）の動作を調整するステップと、
を含む処理を実行することによって前記発電プラントシステム（１２）を制御するよう構成される、
システム（１０）。
【請求項２】
前記少なくとも１つのコンピューティングデバイス（６６）は、
前記構成要素（３６）の前記動作特性（１２２）を判定するステップと、
前記構成要素（３６）の前記判定された動作特性（１２２）を前記構成要素（３６）の動作特性閾値（１２６）と比較するステップと、
前記構成要素（３６）の前記判定された動作特性（１２２）が前記構成要素（３６）の前記動作特性閾値（１２６）と異なる場合を検出して、前記発電プラントシステム（１２）の動作中に前記構成要素（３６）の前記動作異常（１２４）が発生したことを判定するステップと、
を含む処理を実行することによって、前記発電プラントシステム（１２）の動作中に前記構成要素（３６）の前記動作異常（１２４）が発生したかどうかを判定するよう構成される、請求項１に記載のシステム（１０）。
【請求項３】
前記動作異常（１２４）が発生したと判定したことに応じて、前記発電プラントシステム（１２）を制御するために前記少なくとも１つのコンピューティングデバイス（６６）によって実行される前記処理が、
前記発電プラントシステム（１２）の動作中に発生する前記構成要素（３６）の動作異常（１２４）の回数を判定するステップと、
前記発電プラントシステム（１２）の動作中に前記構成要素（３６）の動作異常率を計算するステップと、
をさらに含む、請求項１に記載のシステム（１０）。
【請求項４】
前記少なくとも１つのコンピューティングデバイス（６６）が、
リアルタイムで前記構成要素（３６）の保守が必要となる確率、
リアルタイムで前記構成要素（３６）が故障する確率、
所定の、将来の時間に前記構成要素（３６）について保守が必要となる確率、
または前記所定の、将来の時間に前記構成要素（３６）が故障する確率、
の少なくとも１つを計算するステップ
を含む処理を実行することによって前記第１の動作信頼度（１２８）を判定するよう構成される、請求項１に記載のシステム（１０）。
【請求項５】
前記発電プラントシステム（１２）を制御するために前記少なくとも１つのコンピューティングデバイス（６６）によって実行される前記処理は、
前記第１の動作信頼度（１２８）に基づいて前記構成要素（３６）の第１の残存耐用年数（ＲＵＬ）情報を提供するステップ、
をさらに含み、
前記第１のＲＵＬ情報が、
前記構成要素（３６）の保守が必要となる前の前記構成要素（３６）の動作時間、
前記構成要素（３６）の保守が必要となる前の前記構成要素（３６）の起動回数、
前記構成要素（３６）の前記故障の前の前記構成要素（３６）の動作時間、または、
前記構成要素（３６）の前記故障の前の前記構成要素（３６）の起動回数、
の少なくとも１つを含む、
請求項４に記載のシステム（１０）。
【請求項６】
前記少なくとも１つのコンピューティングデバイス（６６）が、
リアルタイムで前記構成要素（３６）の保守が必要となる確率、
リアルタイムで前記構成要素（３６）が故障する確率、
所定の、将来の時間に前記構成要素（３６）について保守が必要となる確率、
または前記所定の、将来の時間に前記構成要素（３６）が故障する確率、
の少なくとも１つを計算するステップ
を含む処理を実行することによって前記第２の動作信頼度（１２８）を判定するよう構成される、請求項１に記載のシステム（１０）。
【請求項７】
前記発電プラントシステム（１２）を制御するために前記少なくとも１つのコンピューティングデバイス（６６）によって実行される前記処理は、
前記第２の動作信頼度（１２８）に基づいて前記構成要素（３６）の第２の残存耐用年数（ＲＵＬ）情報を提供するステップ、をさらに含み、前記第２のＲＵＬ情報が、
前記構成要素（３６）の保守が必要となる前の前記構成要素（３６）の動作時間、
前記構成要素（３６）の保守が必要となる前の前記構成要素（３６）の起動回数、
前記構成要素（３６）の前記故障の前の前記構成要素（３６）の動作時間、または、
前記構成要素（３６）の前記故障の前の前記構成要素（３６）の起動回数、
の少なくとも１つを含む、
請求項６に記載のシステム（１０）。
【請求項８】
前記発電プラントシステム（１２）によって生成される電力出力を低減するステップ、または
前記発電プラントシステム（１２）の動作を停止するステップ、
の一方を含む処理を実行することによって、前記少なくとも１つのコンピューティングデバイス（６６）が前記発電プラントシステム（１２）の前記動作を調整するよう構成される、請求項１に記載のシステム（１０）。
【請求項９】
前記発電プラントシステム（１２）を制御するために前記少なくとも１つのコンピューティングデバイス（６６）によって実行される前記処理は、
前記構成要素（３６）を含む前記発電プラントシステム（１２）の周囲条件（１２０）を判定するステップ、
をさらに含み、
前記構成要素（３６）の前記判定された第１の動作信頼度（１２８）が、前記発電プラントシステム（１２）の前記周囲条件（１２０）に基づいており、
前記構成要素（３６）の前記判定された第２の動作信頼度（１２８）が、前記発電プラントシステム（１２）の前記周囲条件（１２０）に基づく、
請求項１に記載のシステム。
【請求項１０】
構成要素（３６）を含む発電プラントシステム（１２）を制御する方法であって、前記方法が、
前記構成要素（３６）の動作異常（１２４）が前記発電プラントシステム（１２）の動作中に発生したかどうかを判定するステップと、
前記動作異常（１２４）が発生しなかったと判定したことに応じて、
前記構成要素（３６）、または前記発電プラントシステム（１２）の少なくとも１つの動作特性（１２２）に基づいて前記構成要素（３６）の第１の動作信頼度（１２８）を判定するステップと、
前記動作異常（１２４）が発生したと判定したことに応じて、
前記判定された動作異常（１２４）と、前記構成要素（３６）、または前記発電プラントシステム（１２）の少なくとも１つの前記動作特性（１２２）とに基づいて前記構成要素（３６）の第２の動作信頼度（１２８）を判定するステップと、
前記第１の動作信頼度（１２８）または前記第２の動作信頼度（１２８）の一方が所定の動作信頼度閾値（１３０）を超えることに応じて前記発電プラントシステム（１２）の動作を調整するステップと、
を備える、方法。
【請求項１１】
前記発電プラントシステム（１２）の動作中に前記構成要素（３６）の前記動作異常（１２４）が発生したかどうかを判定するステップが、
前記構成要素（３６）の前記動作特性（１２２）を判定するステップと、
前記構成要素（３６）の前記判定された動作特性（１２２）を前記構成要素（３６）の動作特性閾値（１２６）と比較するステップと、
前記構成要素（３６）の前記判定された動作特性（１２２）が前記構成要素（３６）の前記動作特性閾値（１２６）から変化した場合を検出して、前記構成要素（３６）の前記動作異常（１２４）が前記発電プラントシステム（１２）の動作中に発生したと判定するステップと、
前記発電プラントシステム（１２）の動作中に発生した前記構成要素（３６）の動作異常（１２４）の回数を判定するステップと、
前記発電プラントシステム（１２）の動作中に前記構成要素（３６）の動作異常率を計算するステップと、
を含む、請求項１０に記載の方法。
【請求項１２】
前記構成要素（３６）を含む前記発電プラントシステム（１２）の周囲条件（１２０）を判定するステップ、
をさらに備え、
前記構成要素（３６）の前記判定された第１の動作信頼度（１２８）が、前記発電プラントシステム（１２）の前記周囲条件（１２０）に基づいており、
前記構成要素（３６）の前記判定された第２の動作信頼度（１２８）が、前記発電プラントシステム（１２）の前記周囲条件（１２０）に基づく、
請求項１０に記載の方法。
【請求項１３】
前記第２の動作信頼度（１２８）を判定する前記ステップが、
リアルタイムで前記構成要素（３６）の保守が必要となる確率、
リアルタイムで前記構成要素（３６）が故障する確率、
所定の、将来の時間に前記構成要素（３６）について保守が必要となる確率、または
前記所定の、将来の時間に前記構成要素（３６）が故障する確率、
の少なくとも１つを計算するステップ
を含む、請求項１０に記載の方法。
【請求項１４】
前記第２の動作信頼度（１２８）に基づいて前記構成要素（３６）の第２の残存耐用年数（ＲＵＬ）情報を提供するステップ、をさらに含み、前記第２のＲＵＬ情報が、
前記構成要素（３６）の保守が必要となる前の前記構成要素（３６）の動作時間、
前記構成要素（３６）の保守が必要となる前の前記構成要素（３６）の起動回数、
前記構成要素（３６）の前記故障の前の前記構成要素（３６）の動作時間、または、
前記構成要素（３６）の前記故障の前の前記構成要素（３６）の起動回数、
の少なくとも１つを含む、
請求項１３に記載の方法。
【請求項１５】
前記発電プラントシステム（１２）の前記動作を調整するステップが、
前記発電プラントシステム（１２）によって生成される電力出力を低減するステップ、または
前記発電プラントシステム（１２）の動作を停止するステップ、
の一方を含む、請求項１０に記載の方法。
【発明の詳細な説明】
【技術分野】
【０００１】
本開示は、一般に、発電システムに関し、より詳細には、発電システムの構成要素の残存耐用年数（ＲＵＬ）を判定し、発電システムの運用リスクを最小限にすることによって、発電システムの性能を最適化することに関する。
【背景技術】
【０００２】
発電システムは、通常、動作負荷および／または電力出力を生成するために使用される様々な異なるターボ機械および／またはシステムを含む。動作負荷を発生させるために使用される従来の２つの発電システムには、ガスタービンシステムおよび複合サイクル発電プラントが含まれ、これらは一般にガスタービンシステムを含む。従来の複合サイクル発電プラントは、１つまたは複数の蒸気タービンシステムに動作可能に結合された１つまたは複数のガスタービンシステムを使用する。ガスタービンシステムは、ガスタービンに結合された圧縮機を含む。ガスタービンは、通常、負荷または電力出力を生成するために、発電機などの外部構成要素に結合され、それを駆動する。蒸気タービンシステムは、中圧（ＩＰ）タービン部分に動作可能に結合された高圧（ＨＰ）タービン部分を含み、中圧（ＩＰ）タービン部分は次に低圧（ＬＰ）タービンに結合される。ガスタービンシステムのガスタービンと同様に、ＨＰ、ＩＰ、およびＬＰタービンは、外部構成要素（例えば、発電機）を駆動するために使用される。典型的な複合サイクル発電プラントでは、ガスタービンからの排気ガスは熱回収蒸気発生器（ＨＲＳＧ）に送られ、熱回収蒸気発生器（ＨＲＳＧ）は、システムおよび／または発電プラントの効率を高めるために蒸気を再加熱して蒸気タービンシステムの様々なタービンに蒸気を供給する。ＨＲＳＧの下流では、排気ガスはスタックを通って大気に放出される。
【０００３】
従来の発電システムの最適化された性能を維持するために、定期保守ならびに／もしくは部品、構成要素、またはシステム交換手順を、発電システム上で実行することができる。すなわち、動作の前に、発電システムの部品、構成要素、および／またはシステムの定期保守および／または交換手順を確立して、発電システムにより最適な性能、負荷、および／または発電を維持することができる。これらの定期保守および／または交換手順は、典型的には、発電システムの部品、構成要素、およびシステムの理想的な動作条件のみに基づいている。しかしながら、予期しないおよび／または制御不能な条件、状況、パラメータ（例えば、周囲の天気、空気の質、燃料の品質、および部品／構成要素の材料の品質など）のために、発電システム、ならびにその部品、構成要素、および／またはシステムの実際の動作は、理想的な動作条件のもとにあることはほとんどない。したがって、部品、構成要素、またはシステムは、発電システムが意図したようにおよび／または所望の効率で動作しない可能性があるため、（例えば、定期的な手順の前などに）予定外の保守および／または交換手順を必要とする可能性がある。しかしながら、その部品、構成要素、またはシステムを検出する従来の唯一の方法は、動作効率または発電システムの出力が減少し始めるまで定期的な手順を待つ前に保守および／または交換を要求する。さらに、予定外の保守または交換手順を検出することが困難であるため、部品、構成要素、またはシステムの保守または故障が発生するまでに、発電プラントの部品、構成要素、またはシステムがどれだけ長く保つかを判定することも困難である。
【先行技術文献】
【特許文献】
【０００４】
【特許文献１】米国特許第８７１２７３９号明細書
【発明の概要】
【０００５】
本開示の第１の態様は、システムを提供し、システムは、構成要素を含む発電プラントシステムと、発電プラントシステムと通信する少なくとも１つのコンピューティングデバイスとを含み、少なくとも１つのコンピューティングデバイスが、処理を実行することによって発電プラントシステムを制御するよう構成され、そのような処理は、すなわち、発電プラントシステムの動作中に構成要素の動作異常が発生したかどうかを判定することと、動作異常が発生しなかったと判定したことに応じて、構成要素、または発電プラントシステムの少なくとも１つの動作特性に基づいて構成要素の第１の動作信頼度を判定することと、動作異常が発生したと判定したことに応じて、判定された動作異常と、構成要素、または発電プラントシステムの少なくとも１つの動作特性とに基づいて構成要素の第２の動作信頼度を判定することと、第１の動作信頼度または第２の動作信頼度の一方が所定の動作信頼度閾値を超えることに応じて、発電プラントシステムの動作を調整すること、を含む。
【０００６】
本開示の第２の態様は、プログラムコードを含むコンピュータプログラム製品を提供し、プログラムコードは、少なくとも１つのコンピューティングデバイスによって実行される場合、少なくとも１つのコンピューティングデバイスに、以下の処理を含む処理を実行することによって、構成要素を含む発電プラントシステムを制御させ、そのような処理は、すなわち、構成要素の動作異常が発電プラントシステムの動作中に発生したかどうかを判定することと、動作異常が発生しなかったと判定したことに応じて、構成要素、または発電プラントシステムの少なくとも１つの動作特性に基づいて構成要素の第１の動作信頼度を判定することと、動作異常が発生したと判定したことに応じて、判定された動作異常と、構成要素、または発電プラントシステムの少なくとも１つの動作特性とに基づいて構成要素の第２の動作信頼度を判定することと、第１の動作信頼度または第２の動作信頼度の一方が所定の動作信頼度閾値を超えることに応じて発電プラントシステムの動作を調整することとを含む。
【０００７】
本開示の第３の態様は、構成要素を含む発電プラントシステムを制御するための方法を提供する。本方法は、構成要素の動作異常が発電プラントシステムの動作中に発生したかどうかを判定するステップと、動作異常が発生しなかったと判定したことに応じて、構成要素、または発電プラントシステムの少なくとも１つの動作特性に基づいて構成要素の第１の動作信頼度を判定するステップと、動作異常が発生したと判定したことに応じて、判定された動作異常と、構成要素、または発電プラントシステムの少なくとも１つの動作特性とに基づいて構成要素の第２の動作信頼度を判定するステップと、第１の動作信頼度または第２の動作信頼度の一方が所定の動作信頼度閾値を超えることに応じて発電プラントシステムの動作を調整するステップとを含む。
【０００８】
本開示の例示的な態様は、本明細書に記載された問題および／または論じられていない他の問題を解決するように構成される。
【０００９】
本開示のこれらのおよび他の特徴は、本開示の様々な実施形態を示す添付の図面と併せて、本開示の様々な態様の以下の詳細な説明から、より容易に理解されよう。
【図面の簡単な説明】
【００１０】
【図１】様々な実施形態による、ガスタービンシステム、蒸気タービンシステム、および制御システムを含む複合サイクル発電プラントシステムの概略図である。
【図２】実施形態による、制御システムを使用する複合サイクル発電プラントの動作を制御するための例示的処理のフローチャートである。
【図３】実施形態による、動作異常がない図１に示す発電プラントシステムの構成要素の動作についての例示的な動作時間対動作特性のグラフを示す図である。
【図４】実施形態による、動作異常がある図１に示す発電プラントシステムの構成要素の動作についての例示的な動作時間対動作特性のグラフを示す図である。
【図５】実施形態による、図１に示す発電プラントシステムの構成要素の動作信頼度情報を含むチャートである。
【図６】実施形態による、図１に示す発電プラントシステムの構成要素の残存耐用年数（ＲＵＬ）情報を含むチャートである。
【図７】実施形態による、図１の複合サイクル発電プラントを制御するための制御システムを含む環境を示す図である。
【発明を実施するための形態】
【００１１】
本開示の図面は、原寸に比例して示されていないことに留意されたい。図面は、本開示の典型的な態様だけを示すことを目的としており、したがって、本開示の範囲を限定するものとみなすべきではない。図面においては、図面間で同様の符号は同様の要素を示す。
【００１２】
最初の問題として、現在の開示を明確に説明するために、ガスタービンシステムおよび／または複合サイクル発電プラント内の関連する機械構成要素を参照して説明するときに、特定の専門用語を選択することが必要になる。これを行う場合、可能な限り、一般的な工業専門用語が、その受け入れられた意味と同じ意味で使用および利用される。別途記載のない限り、このような専門用語は、本出願の文脈および添付の特許請求の範囲と一致する広義の解釈を与えられるべきである。当業者であれば、多くの場合、特定の構成要素がいくつかの異なるまたは重複する用語を使用して参照されることがあることを理解するであろう。単一の部品であるとして本明細書に記載され得るものは、複数の構成要素からなるものとして別の文脈を含み、かつ別の文脈で参照されてもよい。あるいは、複数の構成要素を含むものとして本明細書に記載され得るものは、単一の部品として他の場所で参照されてもよい。
【００１３】
さらに、本明細書ではいくつかの記述上の用語を定常的に使用する場合があり、この点についてこれらの用語を定義することが有用であることが証明されるはずである。これらの用語およびその定義は、別途記載のない限り、以下の通りである。本明細書で使用する場合、「下流」および「上流」とは、タービンエンジンを通る作動流体または、例えば、燃焼器を通る空気の流れ、またはタービンの構成要素システムの１つを通る冷却剤のような流体の流れに対する方向を示す用語である。「下流」という用語は、流体の流れの方向に相当し、「上流」という用語は、流れの反対の方向を指す。「前方」および「後方」という用語は、別途指定のない限り、方向を指し、「前方」はエンジンの前方または圧縮機端部を指し、「後方」はエンジンの後方またはタービン端部を指す。多くの場合、中心軸線に関して異なる半径方向位置にある部品を記述することが要求される。用語「半径方向」は、軸線に垂直な移動または位置を指す。このような場合、第１の構成要素が第２の構成要素より軸線に近接して位置する場合、本明細書では、第１の構成要素は第２の構成要素の「半径方向内側」または「内側」にあると述べることになる。一方、第１の構成要素が第２の構成要素より軸線から遠くに位置する場合、本明細書では、第１の構成要素は第２の構成要素の「半径方向外側」または「外側」にあると述べることができる。用語「軸方向」は、軸線に平行な移動または位置を指す。最後に、用語「円周方向」は、軸線周りの移動または位置を指す。このような用語は、タービンの中心軸線に関連して適用することができることは理解されよう。
【００１４】
上記のように、本開示は、一般に、発電プラントに関し、より詳細には、発電システムの構成要素の残存耐用年数（ＲＵＬ）を判定し、発電システムの運用リスクを最小限にすることによって、発電システムの性能を最適化することに関する。
【００１５】
これらおよび他の実施形態は、図１〜図７を参照して以下に説明される。しかし、当業者であれば、これらの図に関して本明細書に与えられた詳細な説明は例示のためのものであり、限定するものとして解釈すべきではないことを容易に理解するであろう。
【００１６】
図１は、本開示の様々な実施形態によるシステム１０の概略図を示す。図示するように、システム１０は、蒸気タービン（ＳＴ）システム１８を含む複合サイクル発電プラントシステム１２（以下、「発電プラントシステム１２」と呼ぶ）を含むことができ、図示する図では、蒸気タービン（ＳＴ）システム１８は、当技術分野で知られているように、高圧（ＨＰ）部分２０、中圧（ＩＰ）部分２２および低圧（ＬＰ）部分２４を含むことができる。ＳＴシステム１８のＨＰ部分２０、ＩＰ部分２２およびＬＰ部分２４はすべて、機械的作業を生成するためにおよび／またはＳＴシステム１８の追加の構成要素を駆動するためにシャフト２６を回転させるように結合され、および／または配置され、および／または構成されてもよい。図１に示すように、ＳＴシステム１８のシャフト２６は、外部構成要素、より具体的には、電力を生成し、および／または負荷を生成するように構成された発電機２８に結合され、および／または外部構成要素を駆動することができる。
【００１７】
発電プラントシステム１２は、ガスタービン（ＧＴ）システム３０をさらに含むことができる。ＧＴシステム３０は、圧縮機３２を含むことができる。圧縮機３２は、圧縮機３２を通って流れる流体３４（例えば、空気）の流入する流れを圧縮する。ＧＴシステム３０はまた、圧縮機３２内に配置されたステータベーン３６を含むことができる。圧縮機３２内に配置されたステータベーン３６は、圧縮機３２を通って流体３４を移動および／または通過させるのに役立つよう構成することができる。圧縮機３２は２段の調整可能なステータベーン３６を含むように示されているが、圧縮機３２内の調整可能なステータベーン段数は単なる例示に過ぎないことが理解されよう。このように、圧縮機３２は、本明細書で説明するように、流体３４の質量流量を調整するよう構成することができる、より多くのまたはより少ない段の調整可能なステータベーン３６を含むことができる。
【００１８】
圧縮機３２は、圧縮流体３８の流れ（例えば、圧縮空気）を燃焼器４０に送る。燃焼器４０は、圧縮流体３８の流れを、燃料供給源４４によって供給される燃料４２の加圧された流れと混合し、混合気を点火して燃焼ガス４６の流れを生成する。次に、燃焼ガス４６の流れは、通常、複数のタービンブレード（図示せず）を含むタービン部品４８に供給される。燃焼ガス４６の流れはタービン部品４８を駆動して機械的仕事を生成する。タービン部品４８で生成された機械的仕事は、シャフト５０を介して圧縮機３２を駆動し、動力を生成および／または負荷を生成するように構成された発電機５１（例えば、外部構成要素）を駆動するために使用することができる。回転シャフト５０は、タービン部品４８に隣接する軸受ハウジング（図示せず）内に配置されたロータ軸受５２（以下、「軸受５２」という）を実質的に貫通することができる。軸受５２は、本明細書で説明するように、シャフト５０を受け入れおよび／または支持し、ＧＴシステム３０の動作中にシャフト５０の回転を可能にするおよび／または助けるよう構成することができる。
【００１９】
発電プラントシステム１２は、２つの別個の発電機２８、５１が使用される二重シャフト構成を含むように図１に示されているが、他の非限定的な例では、ＳＴシステム１８およびＧＴシステム３０は、単一のシャフトを共有し、次いで単一の発電機を共有してもよいことが理解される。さらに、発電プラントシステム１２は、単一のＳＴシステム１８および単一のＧＴシステム３０のみを含むように示されているが、発電プラントシステム１２は、動作負荷および／または電力出力を生成するように構成することができる複数のＳＴシステム１８および／またはＧＴシステム３０を含んでもよいことが理解される。
【００２０】
発電プラントシステム１２は、ＳＴシステム１８（例えば、ＨＰ部分２０、ＩＰ部分２２、および／またはＬＰ部分２４）およびＧＴシステム３０に流体接続された熱回収蒸気発生器（ＨＲＳＧ）５４をさらに含むことができる。図１の非限定的な例に示すように、ＨＲＳＧ５４は、排気導管５６を介してＳＴシステム１８に流体接続され、ＳＴシステム１８から排出流体（例えば、蒸気）を受け取り、さらに供給導管５８を介してＳＴシステム１８の各部分に蒸気を供給することができる。さらに、非限定的な例では、ＨＲＳＧ５４は、タービン部品４８に結合された、および／またはタービン部品４８と流体連通する排気チャネル６０を介して、ＧＴシステム３０と流体接続および／または結合することができる。排気チャネル６０は、ＧＴシステム３０からＨＲＳＧ５４へ排気流体（例えば、ガス）を供給して、ＳＴシステム１８の蒸気を生成および／または加熱する際に利用することができる。ＨＲＳＧ５４のスタック６１は、ＨＲＳＧ５４から大気中に、および／または発電プラントシステム１２の外に（過剰なまたは使用済の）ガスおよび／または流体を排出または放出することができる。
【００２１】
発電プラントシステム１２は、凝縮器６２をさらに含むことができる。凝縮器６２は、発電プラントシステム１２の様々な構成要素と流体連通することができ、および／または流体結合することができる。非限定的な例では、凝縮器６２は、蒸気排出ダクト６４を介してＳＴシステム１８のＬＰ部分２４に流体接続および／または結合されてもよい。凝縮器６２は、当技術分野で知られているように、ＳＴシステム１８および／またはＨＲＳＧ５４（図示せず）からの排気流および／またはバイパス流（図示せず）を凝縮させ、ＨＲＳＧ５４に凝縮流体（例えば凝縮水）を供給するように構成することができる。
【００２２】
図１に示すように、システム１０は、発電プラントシステム１２を制御するように構成された少なくとも１つのコンピューティングデバイス６６を含むことができる。コンピューティングデバイス６６は、任意の適切な電子的および／または機械的な通信構成要素または技術を介して、発電プラントシステム１２およびその様々な構成要素（例えば、ＳＴシステム１８、ＧＴシステム３０、およびＨＲＳＧ５４など）に有線および／または無線で接続および／または通信することができる。本明細書で説明するコンピューティングデバイス６６およびその様々な構成要素は、発電プラントシステム１２およびその様々な構成要素（例えば、ＳＴシステム１８、ＧＴシステム３０など）の動作および／または機能を制御および／または調整することができる別の発電プラント制御システム（例えば、コンピューティングデバイス）（図示せず）から分離して機能する単一の独立型システムであってもよい。あるいは、コンピューティングデバイス６６およびその構成要素は、発電プラントシステム１２およびその様々な構成要素（例えば、ＳＴシステム１８、ＧＴシステム３０など）の動作および／または機能を制御および／または調整することができる、より大きな発電プラント制御システム（例えば、コンピューティングデバイス）（図示せず）の中に一体的に形成され、それと通信し、および／またはそれの一部として形成されてもよい。
【００２３】
様々な実施形態では、コンピューティングデバイス６６は、発電プラントシステム１２の動作を制御するために、制御システム６８および複数のセンサ７０を含むことができる。本明細書で説明するように、制御システム６８は、発電プラントシステム１２およびその様々な構成要素を制御して、発電プラントシステム１２の構成要素（例えば、ステータベーン３６および軸受５２など）の残存耐用年数（ＲＵＬ）を判定し、発電プラントシステム１２の動作リスクを最小にすることによって、発電プラントシステム１２の動作を最適化することができる。
【００２４】
図１に示すように、コンピューティングデバイス６６は、本明細書で説明するように、システム１０の全体、内部、隣接部、および／または周囲に配置された複数のセンサ７０と電気的および／または機械的に通信し、発電プラントシステム１２の構成要素（例えば、圧縮機３２、ステータベーン３６、および軸受５２など）の動作特性を検出することができる。複数のセンサ７０の一部（例えば、発電機５１内のおよび／または発電機５１と通信するセンサ７０）は、コンピューティングデバイス６６と通信するようには示されていないが、システム１０のすべてのセンサ７０は、本明細書で説明するように、発電プラントシステム１２と通信する、および／または発電プラントシステム１２に関連する検出データ（例えば、動作特性）をコンピューティングデバイス６６に提供することができる。図１の非限定的な例に示すように、コンピューティングデバイス６６の、および／またはそれに接続されたセンサ７０は、圧縮機３２内に配置することができる。さらに、またはあるいは、少なくとも１つの別個の／追加のセンサ７０をＧＴシステム３０の別個の部分に配置することができる。例えば、センサ７０は、発電機５１、軸受５２、および／または排気チャネル６０の内部および／または隣接部に配置することができる。ＧＴシステム３０内および／またはＧＴシステム３０と関連して配置されるものとして示されているが、コンピューティングデバイス６６のセンサ７０は、本明細書で説明するように、システム１０および／または発電プラントシステム１２の全体に配置されて、発電プラントシステム１２の構成要素の動作特性を検出することができることが理解されよう。例えば、センサ７０は、ＳＴシステム１８の様々な部分（例えば、ＨＰ部分２０、ＩＰ部分２２、および／またはＬＰ部分２４）、ＨＲＳＧ５４、および凝縮器６２などに配置することができる。さらに、図１に示すように、センサ７０は、発電プラントシステム１２に隣接して、発電プラントシステム１２の外側に、および／または発電プラントシステム１２から離れて配置してもよい。発電プラントシステム１２の近傍および／または外側に配置されているが、センサ７０は、本明細書で説明するように、コンピューティングデバイス６６に接続することができ、コンピューティングデバイス６６と通信することができ、および／またはコンピューティングデバイス６６内に含めることができる。
【００２５】
システム１０のコンピューティングデバイス６６と通信するセンサ７０は、動作中の発電プラントシステム１２に関するデータ、情報、および／または特性を検出および／または判定するよう構成された任意の適切なセンサまたはデバイスとすることができる。例えば、発電プラントシステム１２の構成要素内に配置される、および／または発電プラントシステム１２の構成要素に結合される、センサ７０は、発電プラントシステム１２の構成要素（例えば、ＨＰ部分２０、圧縮機３２、ステータベーン３６、軸受５２、およびＨＲＳＧ５４など）の動作特性、または物理的状態変数／量を検出および／または判定するよう構成される任意の適切なセンサとすることができる。センサ７０によって検出および／または判定することができる発電プラントシステム１２の構成要素の動作特性は、これらに限定されるものではないが、構成要素周囲温度、構成要素温度、流体温度、流体圧力、流体密度、流体速度、構成要素回転速度、構成要素の変位／振動、騒音、および／または発電機５１で生成された動作負荷を含むことができる。
【００２６】
別の非限定的な例では、発電プラントシステム１２に隣接する、および／または外部に配置された、センサ７０は、発電プラントシステム１２の周囲条件を検出および／または判定するよう構成された任意の適切なセンサとすることができる。センサ７０によって検出および／または判定することができる発電プラントシステム１２の周囲条件は、発電プラントシステム１２を取り囲む地理、地域、および／または空間の気象、気候、および／または状態に関連するデータ、情報、および／または特性を含むことができる。例えば、周囲条件は、これらに限定するものではないが、周囲空気温度、周囲湿度条件、過去／現在／将来の周囲気象条件、空気質（例えば、検出可能な空気不純物（ｐｐｍ））、周囲空気中のデブリ（例えば、砂）、周囲大気圧、高度、および周囲風速などを含むことができる。
【００２７】
５つのセンサ７０が示されているが、別の非限定的な例では、センサ７０は、本明細書で説明するように、コンピューティングデバイス６６、特に制御システム６８に、動作特性および／または周囲条件に関する情報またはデータを提供するように構成することができる限り、システム１０が含むセンサ７０の数はただ１つだけでよいことが理解されよう。図１に示すセンサ７０の数は単なる例示であり、限定するものではない。したがって、システム１０に含まれるセンサ７０は、図に示すものより多くても少なくてもよい。
【００２８】
センサ７０は、発電プラントシステム１２の構成要素の動作特性および／または物理的状態変数／量、ならびに発電プラントシステム１２についての周囲条件に関する情報またはデータをコンピューティングデバイス６６、および特に、制御システム６８に提供し、構成要素の動作信頼度を判定するよう構成することができる。すなわち、本明細書で説明するように、コンピューティングデバイス６６および／または制御システム６８は、センサ７０によって取得される構成要素の動作特性およびセンサ７０によって検出される発電プラントシステム１２についての周囲条件に関するデータを使用して、構成要素の動作信頼度を計算することができる。さらに、本明細書で説明するように、発電プラントシステム１２の動作中の構成要素の動作特性および発電プラントシステム１２の周囲条件に関するデータを利用して、構成要素についての残存耐用年数（ＲＵＬ）情報を判定および／または計算することができる。発電プラントシステム１２の構成要素の計算された動作信頼度および／またはＲＵＬ情報は、発電プラントシステム１２の動作または性能を改善／最適化することができ、ならびに／もしくは発電プラントシステム１２の動作リスク（例えば、構成要素の必要な保守または故障）を最小にすることができる
図２は、発電プラントシステム１２を制御する、非限定的な例示的処理を示すフローチャートを示す。これらの処理は、例えば、本明細書で説明するように、制御システム６８（図１を参照）を含む少なくとも１つのコンピューティングデバイス６６によって実行することができる。他の場合には、これらの処理は、発電プラントシステム１２を制御する、コンピュータにより実施される方法により行うことができる。さらに他の実施形態では、これらの処理は、コンピューティングデバイス６６上でコンピュータプログラムコードを実行し、コンピューティングデバイス６６、特に制御システム６８に発電プラントシステム１２の動作を制御させることによって実行することができる。引き続き図１を参照して、図２のフローチャートに示す処理について以下で詳細に説明する。
【００２９】
処理Ｐ１において、発電プラントシステム１２は、動作を開始することができ、および／または始動することができる。具体的には、ＳＴシステム１８、ＧＴシステム３０、およびＨＲＳＧ５４などの様々なセグメント、セクション、構成要素、および／またはシステムは、発電機５１を駆動して負荷および／または電力出力を生成する動作を開始することができる。発電プラントシステム１２ならびにその様々な別個のシステムおよび／または構成要素は、予めシャットダウンまたは動作を停止しており、本明細書で説明するように、発電機５１を駆動して動作負荷を発生させるために動作を開始、始動、および／または再開する必要がある。発電プラントシステム１２ならびにその様々な別個のシステムおよび／または構成要素は、種々の目的または理由のために動作をシャットダウンまたは停止する可能性がある。非限定的な例では、発電プラントシステム１２ならびにその様々な別個のシステムおよび／または構成要素をシャットダウンして、構成要素の予定された保守手順または予定された構成要素の交換を実行することができる。別の非限定的な例では、発電プラントシステム１２の動作に悪影響を及ぼし、および／または発電プラントシステム１２に損傷を与える可能性のある構成要素停止事象を検出すると、発電プラントシステム１２ならびにその様々な別個のシステムおよび／または構成要素は、シャットダウンすることができる。他の非限定的な例では、発電プラントシステム１２ならびにその様々な別個のシステムおよび／または構成要素をシャットダウンして、構成要素の予定されていない保守手順または予定されていない構成要素の交換を実行することができる。
【００３０】
処理Ｐ２において、発電プラントシステム１２の周囲条件を判定することができる。具体的には、発電プラントシステム１２の様々な周囲条件は、様々な装置および／または技術を使用して検出、判定、取得、計算、および／または識別することができる。非限定的な例において、発電プラントシステム１２についての周囲条件は、発電プラントシステム１２を取り囲む地理、領域、および／または空間の気象、気候、および／または状態に関する既知のデータ、情報、および／または特性に基づいて、知ることができ、事前判定することができ、および／または計算することができる。他の非限定的な例において、発電プラントシステム１２についての周囲条件は、動作中の発電プラントシステム１２を取り囲む地理、領域、および／または空間の気象、気候、および／または状態に関するリアルタイムのデータおよび／または情報に基づいて、判定および／または計算することができる。発電プラントシステム１２がコンピューティングデバイス６６（図１参照）を含む場合、センサ７０は、発電プラントシステム１２を取り囲む地理、地域および／または空間の気象、気候、および／または状態に関するリアルタイム情報を検出および／または取得することができる。結果的に、周囲条件は、センサ７０によって検出されたリアルタイム情報に基づいて判定および／または計算することができる。
【００３１】
処理Ｐ３では、発電プラントシステム１２の構成要素の動作特性を判定することができる。具体的には、発電プラントシステム１２の様々な動作特性および／または物理的状態変数／量は、様々な装置および／または技術を使用して検出、判定、取得、計算、および／または識別することができる。発電プラントシステム１２の構成要素の動作特性は、構成要素および／または発電プラントシステム１２の既知の情報および／または規格に基づいて、知ることができ、事前判定することができ、および／または計算することができる。例えば、発電プラントシステム１２の構成要素の動作特性は、構成要素および／または発電プラントシステム１２の既知の、理想的な、および／または計算された動作属性および／または材料特性に基づいて、事前判定および／または計算することができる。他の非限定的な例において、発電プラントシステム１２の構成要素の動作特性は、動作中の構成要素および／または発電プラントシステム１２のリアルタイム動作情報に基づいて、判定および／または計算することができる。発電プラントシステム１２がコンピューティングデバイス６６（図１参照）を含む場合、センサ７０は、動作中の構成要素および／または発電プラントシステム１２に関するリアルタイム動作情報を検出および／または取得することができる。結果的に、動作特性は、センサ７０によって検出されたリアルタイム情報に基づいて判定および／または計算することができる。
【００３２】
処理Ｐ４では、発電プラントシステム１２の動作中に構成要素の動作異常が発生したかどうかが判定される。非限定的な例において、発電プラントシステム１２を制御するよう構成されたコンピューティングデバイス６６は、発電プラントシステム１２の動作中に構成要素の１つまたは複数の動作異常が発生したかどうかを判定するよう構成することができる。１つまたは複数の動作異常は、処理Ｐ３で判定された動作特性を使用して判定することができる。具体的には、構成要素の動作特性が判定されると、１つまたは複数の動作異常は、判定された動作特性を発電プラントシステム１２の動作中の構成要素の動作特性閾値と比較すること、および判定された動作特性が動作特性閾値から変化する（例えば、超える、下回る）場合を検出することによって、判定することができる。判定された動作特性が動作特性閾値から変化する場合の例は、発電プラントシステム１２の動作中に構成要素の１つまたは複数の動作異常が発生したことに相関し、および／または発生したことを示す。発電プラントシステム１２の構成要素の動作特性閾値は、構成要素および／または発電プラントシステム１２の判定された動作特性（処理Ｐ３参照）、動作属性、および／または材料特性に基づいて、事前判定することができる。非限定的な例において、構成要素の動作特性閾値は、構成要素および／または発電プラントシステム１２の動作を最適化することができる、ならびに／もしくは構成要素および／または発電プラントシステム１２の動作リスク（例えば、必要な保守または故障）を最小化することができる、動作パラメータまたは範囲とすることができる。
【００３３】
発電プラントシステム１２の動作中に構成要素の１つまたは複数の動作異常が検出されない場合、第１の動作信頼度が判定される。すなわち、処理Ｐ５において、発電プラントシステム１２の構成要素の第１の動作信頼度が判定される。発電プラントシステム１２の構成要素の第１の動作信頼度は、発電プラントシステム１２の周囲条件に基づくことができる。具体的には、発電プラントシステム１２の構成要素の第１の動作信頼度は、判定することができ、および／または処理Ｐ２で判定されるような（例えば、センサ７０を介して既知の、検出された、および計算されたなどの）、発電プラントシステム１２の周囲条件に基づくことができる。さらに、発電プラントシステム１２の構成要素の第１の動作信頼度は、構成要素および／または発電プラントシステム１２の動作特性に基づくことができる。すなわち、周囲条件に加えて、発電プラントシステム１２の構成要素の第１の動作信頼度は、判定することができ、および／または処理Ｐ３で判定されるような（例えば、センサ７０を介して既知の、検出された、および計算されたなどの）、構成要素および／または発電プラントシステム１２の動作特性に基づくことができる。構成要素の第１の動作信頼度を判定することは、発電プラントシステム１２の構成要素の必要な保守および／または故障に関連する様々な確率を計算することを含むことができる。非限定的な例において、構成要素の第１の動作信頼度を判定することは、リアルタイムで（例えば、直ちに）構成要素の保守が必要である確率を計算すること、構成要素の故障の確率をリアルタイムに計算すること、所定の、将来の時間に構成要素の保守が必要になる確率を計算すること、および／または所定の、将来の時間に構成要素が故障する確率を計算することを含むことができる。計算された様々な確率は、発電プラントシステム１２の構成要素の必要な保守および／または故障に関連する確率を提供することができる推定値、単一パーセンテージ、パーセンテージ範囲、および／または他の任意の適切な計算結果とすることができる。本明細書で説明するように、発電プラントシステム１２のオペレータには、構成要素について判定された第１の動作信頼度を提供することができ、発電プラントシステム１２の構成要素（単数または複数）に対する将来の保守手順および／または交換手順が必要または要求される可能性があることを判定することができる。構成要素の判定された将来の保守および／または交換手順は、発電プラントシステム１２の最適化された性能を維持し、ならびに／もしくは構成要素および／または発電プラントシステム１２への望ましくない損傷などの動作リスクを避け、発電プラントシステム１２による効率および／または発電の低下を最小限にするための補助をすることができる。
【００３４】
処理Ｐ６では、構成要素の第１の動作信頼度が所定の動作信頼度またはリスク閾値を超えるかどうかが判定される。具体的には、処理Ｐ５で判定された構成要素の第１の動作信頼度は、発電プラントシステム１２の構成要素の所定の動作信頼度閾値と比較することができる。発電プラントシステム１２の構成要素の第１の動作信頼度と同様に、構成要素の所定の動作信頼度閾値は、発電プラントシステム１２の周囲条件ならびに／もしくは構成要素および／または発電プラントシステム１２の動作特性に基づくことができる。具体的には、発電プラントシステム１２の構成要素の所定の動作信頼度閾値は、事前判定することができ、ならびに／もしくは既知の、判定される、理想的な、および／または発電プラントシステム１２を取り囲む、地理、領域、および／または空間の天候、気候、および／または状態を使用して計算される、周囲条件に基づくことができる。さらに、発電プラントシステム１２の構成要素の所定の動作信頼度閾値は、事前判定することができ、ならびに／もしくは既知の、理想的な、および／または構成要素および／または発電プラントシステム１２の動作属性および／または材料特性を使用して計算される、動作特性に基づくことができる。さらに、発電プラントシステム１２の構成要素の所定の動作信頼度閾値は、事前判定されていない可能性があり、ならびに／もしくは、発電プラントシステム１２の実際のおよび／またはリアルタイム周囲条件および／またはセンサ７０によって検出することができる構成要素および／または発電プラントシステム１２の動作特性に基づくことができる。
【００３５】
また、発電プラントシステム１２の構成要素の第１の動作信頼度と同様に、構成要素の所定の動作信頼度閾値は、発電プラントシステム１２の構成要素の必要な保守および／または故障に関連する様々な計算および／または判定された確率を含むことができる。具体的には、構成要素の所定の動作信頼度閾値は、発電プラントシステム１２の構成要素の必要な保守および／または故障に関連する様々な確率の上限を表す、および／または規定することができる。上限は、本明細書で説明するように（処理Ｐ７参照）、構成要素および／または発電プラントシステム１２への望ましくない損傷ならびに／もしくは発電プラントシステム１２による効率および／または発電の低下を回避するために発電プラントシステム１２の動作を調整（例えば、減速またはシャットダウン）すべき場合を示すことができる。非限定的な例において、構成要素の所定の動作信頼度閾値は、構成要素の保守をリアルタイムで（例えば、直ちに）必要とする確率、リアルタイムで構成要素が故障する確率、所定の、将来の時間に構成要素の保守が必要になる確率、および／または所定の、将来の時間に構成要素が故障する確率を含むことができる。
【００３６】
第１の動作信頼度が所定の動作信頼度閾値を超えると判定された場合、発電プラントシステム１２の動作を調整することができる。すなわち、処理Ｐ７において、発電プラントシステム１２の動作は、第１の動作信頼度が所定の動作信頼度閾値を超えると判定したことに応答して調整することができる。発電プラントシステム１２の動作は、構成要素および／または発電プラントシステム１２への望ましくない損傷を回避するために、ならびに／もしくは発電プラントシステム１２による効率および／または発電の低減を最小限に抑えるために、所定の動作信頼度閾値を超える第１の動作信頼度に応じて調整することができる。発電プラントシステム１２の動作を調整することは、例えば、発電プラントシステム１２によって生成された電力出力を低減すること、および／または発電プラントシステム１２または発電プラントシステム１２の別個のシステム（例えば、ＳＴシステム１８、ＧＴシステム３０）の動作を停止することもしくはシャットダウンすることを含むことができる。非限定的な例では、発電プラントシステム１２によって生成される電力出力を低減することは、これらに限定するものではないが、ＳＴシステム１８および／またはＧＴシステム３０によって生成される負荷または出力を低減すること、ＧＴシステム３０の点火温度を低下すること、ＨＲＳＧからＳＴシステム１８を通って流れる流体の空気圧を低減すること、ならびにＧＴシステム３０における燃料入力を減らすことを含む、任意の適切な方法または動作方式で達成することができる。発電プラントシステム１２の動作を調整することは、本明細書で説明するように、発電プラントシステム１２の構成要素を修理し、保守し、および／または交換する機会を提供することができる。
【００３７】
処理Ｐ７における発電プラントシステム１２の動作の調整に続いて、あるいは、処理Ｐ６において、構成要素の第１の動作信頼度が所定の動作信頼度閾値を超えないと判定したことに続いて、その構成要素の第１の残存耐用年数（ＲＵＬ）情報を提供することができる。すなわち、処理Ｐ８では、発電プラントシステム１２の構成要素についての第１のＲＵＬ情報を提供することができる。構成要素の第１のＲＵＬ情報は、処理Ｐ５で判定された第１の動作信頼度に基づくことができる。具体的には、構成要素の第１のＲＵＬ情報は、判定された第１の動作信頼度、もしくは発電プラントシステム１２の構成要素の必要な保守および／または故障に関連する様々な計算された確率に基づくことができ、そのような確率を使用して識別および／または提供することができる。非限定的な例では、第１のＲＵＬ情報は、構成要素の保守を要求する前の構成要素の動作時間、構成要素の保守を要求する前の構成要素の起動回数、構成要素の故障前の構成要素の動作時間、および／または構成要素の故障前の構成要素の起動回数を含むことができる。第１のＲＵＬ情報は、発電プラントシステム１２の性能を最適化することおよび／または発電プラントシステム１２の動作リスクを最小化することに役立つ可能性のある推定値、単一の数値もしくは時間値、回数または時間範囲、および／または他の任意の適切な提供される結果とすることができる。すなわち、本明細書で説明するように、発電プラントシステム１２のオペレータには、構成要素について第１のＲＵＬ情報を提供することができ、発電プラントシステム１２の構成要素（単数または複数）に対する将来の保守手順および／または交換手順をスケジュールすることができる。構成要素のスケジュールされた将来の保守および／または交換手順は、発電プラントシステム１２の最適化された性能を維持し、ならびに／もしくは構成要素および／または発電プラントシステム１２への望ましくない損傷などの動作リスクを避け、発電プラントシステム１２による効率および／または発電の低下を最小限にするための補助をすることができる。
【００３８】
処理Ｐ９において、本明細書で説明するような、発電プラントシステム１２を制御する処理は終了することができる。さらに、処理Ｐ９において、発電プラントシステム１２はシャットダウンすることができ、および／または動作を停止することができる。発電プラントシステム１２は、例えば、発電プラントシステム１２の構成要素の定期保守手順および／または定期交換手順の結果として、シャットダウンすることができる。構成要素の定期保守手順および／または定期交換手順は、本明細書で説明するように、処理Ｐ５で判定された第１の動作信頼度および／または処理Ｐ８で提供された第１のＲＵＬ情報に基づいて、計画および／または配置することができる。処理Ｐ５における第１の動作信頼度は、例えば、ワイブルまたはニューラルネットワークなどの様々なまたは複数の解析または生存時間解析方法を使用して、ならびに、例えば、構成要素の動作時間および構成要素の起動回数などに基づいて、故障の確率を計算するために使用される。あるいは、処理Ｐ８の後に、発電プラントシステム１２を制御する処理は再び開始および／またはリセットすることができ、処理Ｐ３、および任意の後続の処理を再び実行することができる。
【００３９】
処理Ｐ４に戻り、構成要素の１つまたは複数の動作異常が発生したと判定された場合、処理Ｐ１０〜Ｐ１４を実行することができる。具体的には、構成要素の１つまたは複数の動作異常が発生したとの判断に応答して、処理Ｐ１０において、発電プラントシステム１２の動作中に発生した構成要素の動作異常の回数を判定することができる。構成要素の動作異常の回数は、判定された動作特性が発電プラントシステム１２の動作中の動作特性閾値から変化する（例えば、超える、下回る）場合の事例の回数を検出および／または計数することによって判定することができる。構成要素の動作異常の回数を判定することに加えて、動作異常率は、発電プラントシステム１２の動作中に構成要素について計算することができる。すなわち、構成要素の判定された動作異常回数を用いて、判定された動作特性（処理Ｐ３）からの判定された異常および／または検出された異常の間の時間変化を判定して、発電プラントシステム１２の構成要素の動作異常率を計算することができる。構成要素の判定された数の動作異常および／または計算された動作異常率は、構成要素の第２の動作信頼度を判定するために（処理Ｐ１１参照）、および／または構成要素の第２の残存耐用年数（ＲＵＬ）を提供するために（処理Ｐ１４を参照）使用することができる。例えば、構成要素の動作異常の回数が増加するにつれて、発電プラントシステム１２の構成要素の必要な保守および／または故障に関連する様々な確率（例えば、第２の動作信頼度）もまた、ある程度まで増加する可能性がある。別の非限定的な例において、構成要素の計算された動作異常率は、動作パターンまたは整合性（例えば、構成要素の計算された動作異常率が耐用年数にわたって継続し得る）として仮定することができる。また、計算された動作異常率は、発電プラントシステム１２の動作中の構成要素についての将来の動作情報を予測する際に、および／または判定するために、利用することができる。
【００４０】
処理Ｐ１１において、発電プラントシステム１２の構成要素の第２の動作信頼度を判定することができる。発電プラントシステム１２の構成要素の第１の動作信頼度と同様に、処理Ｐ１１で判定された構成要素の第２の動作信頼度は、発電プラントシステム１２の周囲条件に基づくことができる。具体的には、発電プラントシステム１２の構成要素の第２の動作信頼度は、判定することができ、および／または処理Ｐ２で判定されるような（例えば、センサ７０を介して既知の、検出された、および計算されたなどの）、発電プラントシステム１２の周囲条件に基づくことができる。さらに、構成要素の第２の動作信頼度は、構成要素および／または発電プラントシステム１２の動作特性に基づくことができる。すなわち、発電プラントシステム１２の構成要素の第２の動作信頼度は、判定することができ、ならびに／もしくは処理Ｐ３で判定されるような（例えば、センサ７０を介して既知の、検出された、および計算されたなどの）、構成要素および／または発電プラントシステム１２の動作特性に基づくことができる。さらに、またはあるいは、発電プラントシステム１２の構成要素の第２の動作信頼度は、判定することができ、ならびに／もしくは、処理Ｐ４で判定したように、構成要素の１つまたは複数の動作異常の回数および／または重症度、および処理Ｐ１０で判定したように、動作異常の回数および／または計算された動作異常率に基づくことができる。また、第１の動作信頼度と同様に、構成要素の第２の動作信頼度を判定することは、例えば、ワイブルまたは人工ニューラルネットワークなどの、様々な解析方法を使用して発電プラントシステム１２の構成要素の必要な保守および／または故障に関連する様々な確率を計算することを含むことができる。非限定的な例において、構成要素の第２の動作信頼度を判定することは、リアルタイムで（例えば、直ちに）構成要素の保守が必要となる確率を計算すること、リアルタイムに構成要素が故障する確率を計算すること、所定の、将来の時間に構成要素の保守が必要となる確率を計算すること、および／または所定の、将来の時間に構成要素が故障する確率を計算することを含むことができる。計算された様々な確率は、発電プラントシステム１２の構成要素の必要な保守および／または故障に関連する確率を提供することができる推定値、単一パーセンテージ、パーセンテージ範囲、および／または他の任意の適切な計算結果とすることができる。本明細書で説明するように、発電プラントシステム１２のオペレータには、構成要素について判定された第２の動作信頼度を提供することができ、発電プラントシステム１２の構成要素（単数または複数）に対する将来の保守手順および／または交換手順が必要または要求される可能性があることを判定することができる。構成要素の判定された将来の保守および／または交換手順は、発電プラントシステム１２の最適化された性能を維持し、ならびに／もしくは構成要素および／または発電プラントシステム１２への望ましくない損傷などの動作リスクを避け、発電プラントシステム１２による効率および／または発電の低下を最小限にするための補助をすることができる。
【００４１】
処理Ｐ１２〜Ｐ１４は、本明細書で説明する処理Ｐ６〜Ｐ８と実質的に同様とすることができる。具体的には、処理Ｐ１２では、構成要素の第２の動作信頼度が所定の動作信頼度閾値を超えるかどうかが判定される。処理Ｐ１１で判定された構成要素の第２の動作信頼度は、発電プラントシステム１２の構成要素の所定の動作信頼度閾値と比較することができる。発電プラントシステム１２の構成要素の第１および第２の動作信頼度と同様に、構成要素の所定の動作信頼度閾値は、発電プラントシステム１２の周囲条件ならびに／もしくは構成要素および／または発電プラントシステム１２の動作特性に基づくことができる。具体的には、発電プラントシステム１２の構成要素の所定の動作信頼度閾値は、事前判定することができ、ならびに／もしくは既知の、判定される、理想的な、および／または発電プラントシステム１２を取り囲む、地理、領域、および／または空間の天候、気候、および／または状態を使用して計算される、周囲条件に基づくことができる。さらに、発電プラントシステム１２の構成要素の所定の動作信頼度閾値は、事前判定することができ、ならびに／もしくは既知の、理想的な、および／または構成要素および／または発電プラントシステム１２の動作属性および／または材料特性を使用して計算される、動作特性に基づくことができる。さらに、発電プラントシステム１２の構成要素の所定の動作信頼度閾値は、事前判定されていない可能性があり、ならびに／もしくは、実際のおよび／またはリアルタイム周囲条件および／またはセンサ７０によって検出することができる構成要素および／または発電プラントシステム１２の動作特性に基づくことができる。また、発電プラントシステム１２の構成要素の第１および第２の動作信頼度と同様に、構成要素の所定の動作信頼度閾値は、処理Ｐ６に関して本明細書で説明したように、発電プラントシステム１２の構成要素の必要な保守および／または故障に関連する様々な計算および／または判定された確率を含むことができる。非限定的な例では、処理Ｐ１２で利用される所定の動作信頼度閾値は、本明細書で説明する処理Ｐ６で利用される所定の動作信頼度閾値と同一であってもよく、または実質的に異なっていてもよい。
【００４２】
第２の動作信頼度またはリスクが所定の動作信頼度閾値を超えると判定された場合、発電プラントシステム１２の動作を調整することができる。すなわち、処理Ｐ１３において、発電プラントシステム１２の動作は、第２の動作信頼度が所定の動作信頼度閾値を超えると判定したことに応答して調整することができる。処理Ｐ７と同様に、発電プラントシステム１２の動作は、構成要素および／または発電プラントシステム１２への望ましくない損傷を回避するために、ならびに／もしくは発電プラントシステム１２による効率および／または発電の低減を最小限に抑えるために、所定の動作信頼度閾値を超える第２の動作信頼度に応じて調整することができる。発電プラントシステム１２の動作を調整することは、例えば、発電プラントシステム１２によって生成された電力出力を低減すること、および／または発電プラントシステム１２または発電プラントシステム１２の別個のシステム（例えば、ＳＴシステム１８、ＧＴシステム３０）の動作を停止することもしくはシャットダウンすることを含むことができる。非限定的な例では、発電プラントシステム１２によって生成される電力出力を低減することは、これらに限定するものではないが、ＳＴシステム１８および／またはＧＴシステム３０によって生成される負荷または出力を低減すること、ＧＴシステム３０の点火温度を低下すること、ＨＲＳＧからＳＴシステム１８を通って流れる流体の空気圧を低減すること、ならびにＧＴシステム３０における燃料入力を減らすことを含む、任意の適切な方法または動作方式で達成することができる。発電プラントシステム１２の動作を調整することは、本明細書で説明するように、発電プラントシステム１２の構成要素を修理し、保守し、および／または交換する機会を提供することができる。
【００４３】
処理Ｐ１３における発電プラントシステム１２の動作の調整に続いて、あるいは、処理Ｐ１２における構成要素の第２の動作信頼度が所定の動作信頼度閾値を超えないという判定に続いて、その構成要素の第２の残存耐用年数（ＲＵＬ）情報を提供することができる。すなわち、処理Ｐ１４では、発電プラントシステム１２の構成要素についての第２のＲＵＬ情報を提供することができる。構成要素の第２のＲＵＬ情報は、処理Ｐ１１で判定された第２の動作信頼度に基づくことができる。具体的には、構成要素の第２のＲＵＬ情報は、判定された第２の動作信頼度、もしくは発電プラントシステム１２の構成要素の必要な保守および／または故障に関連する様々な計算された確率に基づくことができ、そのような確率を使用して識別および／または提供することができる。非限定的な例では、第１のＲＵＬ情報と同様に、第２のＲＵＬ情報は、構成要素の保守を要求する前の構成要素の動作時間、構成要素の保守を要求する前の構成要素の起動回数、構成要素の故障前の構成要素の動作時間、および／または構成要素の故障前の構成要素の起動回数を含むことができる。第２のＲＵＬ情報は、発電プラントシステム１２の性能を最適化することおよび／または発電プラントシステム１２の動作リスクを最小化することに役立つ可能性のある推定値、単一の数値もしくは時間値、回数または時間範囲、および／または他の任意の適切な提供される結果とすることができる。すなわち、本明細書で説明するように、発電プラントシステム１２のオペレータには、構成要素について第２のＲＵＬ情報を提供することができ、発電プラントシステム１２の構成要素（単数または複数）に対する将来の保守手順および／または交換手順をスケジュールすることができる。構成要素のスケジュールされた将来の保守および／または交換手順は、発電プラントシステム１２の最適化された性能を維持し、ならびに／もしくは構成要素および／または発電プラントシステム１２への望ましくない損傷などの動作リスクを避け、発電プラントシステム１２による効率および／または発電の低下を最小限にするための補助をすることができる。
【００４４】
処理Ｐ１４が実行されると、処理Ｐ９に関して本明細書で説明したように、発電プラントシステム１２を制御する処理は終了することができる。さらに、処理Ｐ９において、発電プラントシステム１２はシャットダウンすることができ、および／または動作を停止することができる。発電プラントシステム１２は、例えば、発電プラントシステム１２の構成要素の定期保守手順および／または定期交換手順の結果として、シャットダウンすることができる。構成要素の定期保守手順および／または定期交換手順は、本明細書で説明するように、処理Ｐ１１で判定された第２の動作信頼度および／または処理Ｐ１４で提供された第２のＲＵＬ情報に基づいて、計画および／または配置することができる。あるいは、処理Ｐ１４の後に、発電プラントシステム１２を制御する処理は再び開始および／またはリセットすることができ、処理Ｐ３、および任意の後続の処理を再び実行することができる。
【００４５】
図３から図６は、本明細書で説明するように、発電プラントシステム１２の動作を最適化するため、および／または発電プラントシステム１２の動作リスクを最小化するための、発電プラントシステム１２の構成要素の動作に関する様々な出力、構成要素の動作信頼度、および残存耐用年数（ＲＵＬ）を示す。図３および図４は、それぞれ、動作異常のない（図３参照）、および動作異常を含む（図４参照）、発電プラントシステム１２（図１参照）の構成要素の動作に対する例示的な動作時間（時間）対動作特性グラフを示す。さらに、図５は、発電プラントシステム１２の構成要素の動作信頼度情報を含むチャートを示し、図６は、発電プラントシステム１２の構成要素の残存耐用年数（ＲＵＬ）情報を含むチャートを示す。引き続き図１および図２を参照して、コンピューティングデバイス６６（図１を参照）の制御システム６８を使用して発電プラントシステム１２を制御する処理を、図３から図６に関して本明細書で説明することができる。
【００４６】
図３および図４は、発電プラントシステム１２（図１参照）の構成要素の動作についての、例示的な動作時間（時間）対動作特性グラフを示す。非限定的な例では、発電プラントシステム１２の構成要素は、ＧＴシステム３０の軸受５２とすることができる（図１参照）。したがって、図３および図４に示すグラフに示される動作特性は、軸受５２および発電プラントシステム１２内でのその動作に関連することができる。例えば、本明細書で説明するように、図３および図４に示すように、軸受５２の動作特性は、発電プラントシステム１２の動作中の軸受温度に関連することができる。しかしながら、動作特性は、これらに限定するものではないが、軸受振動、軸受ノイズ、軸受速度、および軸受変位などを含む、発電プラントシステム１２の動作中の軸受５２の様々な他の動作特性を含むことができることが理解されよう。ＧＴシステム３０の軸受５２として本明細書で説明されている発電プラントシステム１２の構成要素は、単なる例示に過ぎない。このように、発電プラントシステム１２の構成要素は、発電プラントシステム１２内に含まれる任意の部品、構成要素、および／またはシステムとすることができることが理解されよう。さらに、構成要素（例えば、軸受５２）の動作特性の非限定的な例もまた例示的なものであり、本明細書で説明するように、発電プラントシステム１２を制御するために利用することができる動作特性の包括的リストではない。
【００４７】
図３および図４に示すように、発電プラントシステム１２の軸受５２の例示的な動作時間（時間）対動作特性グラフは、動作中の軸受５２のための複数の別個のプロット点および／または判定された動作特性値を含むことができる。具体的には、図３および図４に示すように、グラフは、計算された動作特性値（ＯＣＣＡＬＣＵＬＡＴＥＤ）、実際の動作特性値（ＯＣＡＣＴＵＡＬ）、および動作特性閾値（ＯＣＴＨＲＥＳＨＯＬＤ）を含むことができる。本明細書で説明するように、計算された動作特性値（ＯＣＣＡＬＣＵＬＡＴＥＤ）、実際の動作特性値（ＯＣＡＣＴＵＡＬ）、および動作特性閾値（ＯＣＴＨＲＥＳＨＯＬＤ）は、発電プラントシステム１２の動作中の構成要素の動作異常を検出し、構成要素の動作信頼度を判定し、構成要素の残存耐用年数（ＲＵＬ）を判定し、ならびに／もしくは発電プラントシステム１２の動作を調整または制御するために使用することができる。
【００４８】
計算された動作特性値（ＯＣＣＡＬＣＵＬＡＴＥＤ）は、発電プラントシステム１２の構成要素の理想的な動作特性を表すことができる。引き続き例を続けると、計算された動作特性値（ＯＣＣＡＬＣＵＬＡＴＥＤ）は、発電プラントシステム１２の軸受５２の理想的な軸受温度を表すことができる。計算された動作特性値（ＯＣＣＡＬＣＵＬＡＴＥＤ）は、軸受５２および／または発電プラントシステム１２の既知の情報および／または規格に基づいて、知ることができ、事前判定することができ、および／または計算することができる。例えば、軸受５２の動作特性は、軸受５２および／または発電プラントシステム１２の既知の、理想的な、および／または計算された動作属性および／または材料特性に基づいて、事前判定および／または計算することができる。
【００４９】
実際の動作特性値（ＯＣＡＣＴＵＡＬ）は、動作中の構成要素および／または発電プラントシステム１２のリアルタイムの動作情報に基づいて、検出、判定、および／または計算された動作特性を表すことができる。引き続き例を続けると、実際の動作特性値（ＯＣＡＣＴＵＡＬ）は、発電プラントシステム１２の動作中に軸受５２の検出された軸受温度を表すことができる。発電プラントシステム１２がコンピューティングデバイス６６およびセンサ７０（図１参照）を含む非限定的な例では、センサ７０は、発電プラントシステム１２の動作中に軸受５２の軸受温度に関するリアルタイム動作情報を検出、判定、計算、および／または取得することができる。
【００５０】
動作特性閾値（ＯＣＴＨＲＥＳＨＯＬＤ）は、構成要素および／または発電プラントシステム１２の動作を最適化することができる、ならびに／もしくは構成要素および／または発電プラントシステム１２の動作上のリスク（例えば、必要な保守または故障）を最小限に抑えることができる、動作パラメータ、範囲、および／または上限を表すことができる。非限定的な例では、動作特性閾値（ＯＣＴＨＲＥＳＨＯＬＤ）は、構成要素および／または発電プラントシステム１２の動作特性（例えば、計算された動作特性値（ＯＣＣＡＬＣＵＬＡＴＥＤ））、動作属性、および／または材料特性に基づいて事前判定することができる。引き続き例を続けると、動作特性閾値（ＯＣＴＨＲＥＳＨＯＬＤ）は、発電プラントシステム１２の動作中に軸受５２の軸受温度の所定の上限を表すことができる。別の非限定的な例では、動作特性閾値（ＯＣＴＨＲＥＳＨＯＬＤ）は、計算された動作特性値（ＯＣＣＡＬＣＵＬＡＴＥＤ）と共に、発電プラントシステム１２の動作中に軸受５２の軸受温度の許容範囲または標準偏差を規定することができる。図３および図４に示すように、動作特性閾値（ＯＣＴＨＲＥＳＨＯＬＤ）は、計算された動作特性値（ＯＣＣＡＬＣＵＬＡＴＥＤ）よりも大きい可能性があり、本明細書で説明するように、超えた場合に動作異常を示す可能性のある動作特性値、例えば、温度を表すことができる。
【００５１】
軸受５２についてのプロット点および／または判定された動作特性値は、発電プラントシステム１２の動作中に軸受５２の動作異常が発生したかどうかを判定するために、解析、評価、および／または比較することができる。例えば、軸受５２についてのプロット点および／または判定された動作特性値は、実際の動作特性値（ＯＣＡＣＴＵＡＬ）が動作特性閾値（ＯＣＴＨＲＥＳＨＯＬＤ）を超えるかどうかを検出および／または判定するために、解析、評価、および／または比較することができる。実際の動作特性値（ＯＣＡＣＴＵＡＬ）が動作特性閾値（ＯＣＴＨＲＥＳＨＯＬＤ）を超えていないと判定された場合、発電プラントシステム１２の動作中に軸受５２の動作異常が発生していないと判定および／または検出することができる。反対に、実際の動作特性値（ＯＣＡＣＴＵＡＬ）が動作特性閾値（ＯＣＴＨＲＥＳＨＯＬＤ）を超えていると判定された場合、発電プラントシステム１２の動作中に軸受５２の動作異常が発生していると判定および／または検出することができる。
【００５２】
図３に示す非限定的な例では、軸受５２の実際の軸受温度（例えば、実際の動作特性値（ＯＣＡＣＴＵＡＬ））は、発電プラントシステム１２の動作中の軸受温度閾値（例えば、動作特性閾値（ＯＣＴＨＲＥＳＨＯＬＤ））を超えない可能性がある。したがって、軸受５２の１つまたは複数の異常が、発電プラントシステム１２の動作中に検出されない可能性がある。本明細書で説明するように、軸受５２の動作異常が判定および／または検出されない場合、軸受５２の第１の動作信頼度情報および／または軸受５２の第１の残存耐用年数（ＲＵＬ）は、軸受５２および／または発電プラントシステム１２の動作特性に基づいて判定することができる。
【００５３】
反対に、図４に示す明確な非限定的な例では、軸受５２の実際の軸受温度（例えば、実際の動作特性値（ＯＣＡＣＴＵＡＬ））は、発電プラントシステム１２の動作中の軸受温度閾値（例えば、動作特性閾値（ＯＣＴＨＲＥＳＨＯＬＤ））を超える可能性がある。結果として、軸受５２の異常は、発電プラントシステム１２の動作中に検出することができる。軸受５２の異常が実際の軸受温度および軸受温度閾値を用いて検出される場合、さらなる情報を判定することができる。例えば、軸受５２の異常の回数は、発電プラントシステム１２の動作中に実際の軸受温度が軸受温度閾値を超える回数および／または事例の回数を判定することによって、判定、検出、および／または計算することができる。図４に示すように、軸受５２の実際の軸受温度は、発電プラントシステム１２の動作中に２回、軸受温度閾値を超えると判定することができる。さらに、軸受５２の動作異常率は、実際の軸受温度、軸受温度閾値、および／または軸受５２の判定された動作異常の回数を使用して計算することができる。より具体的には、図４に示すように、軸受５２の計算された動作異常率は、軸受５２の動作異常数を判定し、軸受５２の判定された動作異常間の時間変化（Δ動作時間）を判定することによって判定および／または計算することができる。本明細書で説明するように、軸受５２の動作異常が判定および／または検出される場合、軸受５２の第２の動作信頼度情報および／または軸受５２の第２の残存耐用年数（ＲＵＬ）は、軸受５２および／または発電プラントシステム１２の動作特性、ならびに判定された動作異常、動作異常の回数、および／または計算された動作異常率に基づいて判定することができる。
【００５４】
図４の例を続けると、図５は、発電プラントシステム１２の軸受５２の動作信頼度情報を含むチャートを示す。具体的には、図５は、軸受５２の動作異常が発電プラントシステム１２の動作中に判定された後の軸受５２の第２の動作信頼度情報を含むチャートを示す。図２の処理Ｐ１１に関して本明細書で説明したように、第２の動作信頼度情報は、軸受５２の必要な保守および／または故障に関する様々な計算された確率を含むことができる。図５の非限定的な例に示すように、軸受５２の第２の動作信頼度は、軸受５２の保守が必要となることをリアルタイムに（例えば、直ちに）計算した確率、軸受５２における故障についてリアルタイムに計算した確率、所定の将来の時点で軸受５２の保守が必要となることを計算した確率、および／または所定の将来の時点で軸受５２における故障について計算した確率を含むことができる。非限定的な例では、計算された様々な確率は、推定値、単一パーセンテージ、および／またはパーセンテージ範囲とすることができる。図２に示す処理Ｐ１１に関して説明したように、軸受５２の第２の動作信頼度情報は、発電プラントシステム１２の周囲条件（処理Ｐ２、図２参照）、軸受５２および／または発電プラントシステム１２の動作特性、判定された動作異常、動作異常の回数、ならびに／もしくは計算された動作異常率（図４参照）に基づいて判定することができる。
【００５５】
さらに、図５に示すように、チャートは、発電プラントシステム１２の軸受５２に対する様々な動作信頼度閾値も含むことができる。軸受５２の様々な動作信頼度閾値は、第２の動作信頼度情報の様々な確率に対応することができ、リアルタイムおよび／または所定の将来の時点での軸受５２の必要な保守および／または故障に関する確率を含むことができる。本明細書で説明するように、軸受５２の動作信頼度閾値は、事前判定することができ、ならびに／もしくは本明細書で説明したように、既知の、理想的な、および／または計算された周囲条件および／または動作特性に基づくことができる。さらに、またはあるいは、軸受５２の動作信頼度閾値は、センサ（単数または複数）７０（図１参照）によって検出することができる、発電プラントシステム１２の実際のおよび／またはリアルタイムの周囲条件、ならびに／もしくは軸受５２および／または発電プラントシステム１２の動作特性に基づくことができる。
【００５６】
第２の動作信頼度情報の各確率と軸受５２の動作信頼度閾値の対応する確率とを比較する際に、発電プラントシステム１２の動作を調整する必要があるかどうかを判断することができる。具体的には、発電プラントシステム１２および／または別個の部品、構成要素またはシステム（例えば、ＳＴシステム１８およびＧＴシステム３０など）の動作は、軸受５２の第２の動作信頼度情報が軸受５２の動作信頼度閾値から逸脱するか、変化する場合に、即時および／または将来的に調整する必要がある可能性がある。例えば、図５に示すように、軸受５２の即時またはリアルタイムの保守が必要となる確率（例えば、第２の動作信頼度情報）が、軸受５２の即時またはリアルタイムの保守が必要とされる動作信頼度閾値を超える（例えば、３％＞２％）可能性があると判定することができる。結果的に、発電プラントシステム１２の動作を調整することができると判定することができる。
【００５７】
非限定的な例では、軸受５２の即時またはリアルタイムの保守が必要とされる確率が、軸受５２の即時またはリアルタイムの保守が必要とされる動作信頼度閾値を超えるため、ＧＴシステム３０のシャフト５０（図１参照）の回転は遅くなる可能性があり、その結果、ＧＴシステム３０および／または発電プラントシステム１２によって生成される電力出力が低減する可能性がある。これは、軸受５２について検出された動作特性（例えば、軸受温度）を調整する軸受５２における動作応力の一部を緩和することができ、最終的には、対応する動作信頼度閾値未満の第２の動作信頼度情報で判定される軸受５２の即時またはリアルタイムの保守が必要とされる確率を低減することができる。発電プラントシステム１２のこの調整は、発電プラントシステム１２が負荷および／または出力を生成し続けることを可能にすることによって、発電プラントシステム１２の動作または性能を最適化することができる。さらに、調整により、軸受５２が受ける動作応力を低減し、対応する動作信頼度閾値未満の軸受５２の即時またはリアルタイムの必要な保守の確率を低減することによって、発電プラントシステム１２の動作リスク（例えば、軸受が保守を必要とするか、故障する）を最小化することができる。シャフト５０の速度を低下させるために発電プラントシステム１２を調整することは、第２の動作信頼度情報の他の確率が、動作信頼度閾値の対応する確率、特に、軸受の故障に関する確率を超えないという事実を鑑みてさらにサポートすることができる。
【００５８】
別の非限定的な例では、ＧＴシステム３０および／または発電プラントシステム１２の動作をシャットダウンおよび／または停止させて、軸受５２について予定外の保守手順を実行することによって、発電プラントシステム１２の動作を調整することができる。発電プラントシステム１２の動作を停止することは、軸受５２が発電プラントシステム１２の性能を低下させ、および／または発電プラントシステム１２に損傷を与える前に、軸受５２の保守を直ちに行うことによって、発電プラントシステム１２の動作リスクを最小限に抑える。さらに、軸受５２に対する予定外の保守を実行することにより、軸受５２が固定および／または調整された後の発電プラントシステム１２の最適化された動作または性能を保証することができ、軸受５２、ＧＴシステム３０、および／または発電プラントシステム１２の耐用年数を延ばすこともできる。
【００５９】
上記の例を続けると、図６は、発電プラントシステム１２の軸受５２の第２の残存耐用年数（ＲＵＬ）情報を含むチャートを示す。具体的には、図６は、軸受５２の動作異常が発電プラントシステム１２の動作中に判定された、および軸受についての第２の動作信頼度情報が計算された後の軸受５２のＲＵＬ情報を含むチャートを示す。図２の処理Ｐ１４に対して本明細書で説明したように、第２のＲＵＬ情報は、判定された第２の動作信頼度、もしくは発電プラントシステム１２の軸受５２の必要な保守および／または故障に関連する様々な計算された確率に基づくことができ、そのような確率を使用して識別および／または提供することができる。図６に示す非限定的な例では、第２のＲＵＬ情報は、軸受５２の保守を必要とする前の軸受５２の動作時間、軸受５２の保守を必要とする前の軸受５２の起動回数、軸受５２が故障する前の軸受５２の動作時間、および／または軸受５２が故障する前の軸受５２の起動回数を含むことができる。第２のＲＵＬ情報は、推定値、単一の数または時間値、ならびに／もしくは回数または時間範囲とすることができる。軸受５２の第２のＲＵＬ情報は、発電プラントシステム１２の軸受５２の将来の保守手順および／または交換手順を判定、計算、および／またはスケジュールするために利用することができる。第２のＲＵＬ情報に基づく軸受５２の予定された将来の保守および／または交換手順は、軸受５２についての性能および／または動作効率が低下する前に、軸受５２についての保守および／または交換手順を実行することによって、発電プラントシステム１２の最適化された性能を維持するのに役立つ可能性がある。さらに、軸受５２の予定された将来の保守および／または交換手順は、軸受５２および／または発電プラントシステム１２への望ましくない損傷などの動作上の（将来の）リスクを、軸受５２が損傷する、および／または発電プラントシステム１２を損傷する前に、軸受５２について保守および／または交換手順を実行することによって、避けるのに役立つであろう。
【００６０】
第２の動作信頼度情報および第２のＲＵＬ情報は、図５および図６に関して本明細書に示され説明されるが、第１の動作信頼度情報および第１のＲＵＬを含むチャートは、実質的に同様の情報を含むことができることが理解されよう。すなわち、上の例を続けると、発電プラントシステム１２の軸受５２についての第１の動作信頼度情報および第１のＲＵＬは、発電プラントシステム１２の周囲条件および軸受５２の動作特性（処理Ｐ５〜Ｐ８、図２参照）のみに基づき、軸受５２の耐用年数に関する実質的に同様の情報、確率、および／または推定値を含むことができる。
【００６１】
図７は、例示的な環境１００を示す。この範囲内で、環境１００は、ＳＴシステム１８およびＧＴシステム３０を含む発電プラントシステム１２の動作を制御するために、本明細書で説明される様々な処理ステップを実行することができるコンピュータインフラストラクチャ１０２を含む。特に、本開示の１つまたは複数の処理ステップを実行することによって、コンピューティングデバイス６６が発電プラントシステム１２の動作を制御することを可能にする制御システム６８を含むコンピューティングデバイス６６を含むコンピュータインフラストラクチャ１０２が示される。
【００６２】
記憶構成要素１１２、処理構成要素１１４、入力／出力（Ｉ／Ｏ）構成要素１１６、およびバス１１８を含むコンピューティングデバイス６６が示されている。さらに、コンピューティングデバイス６６は、発電プラントシステム１２および／またはセンサ７０と通信するように示されている。当技術分野で知られているように、一般に、処理構成要素１１４は、記憶構成要素１１２または外部記憶構成要素（図示せず）に記憶された制御システム６８などのコンピュータプログラムコードを実行する。処理構成要素１１４は、コンピュータプログラムコードを実行している間に、制御システム６８などのデータを記憶構成要素１１２および／またはＩ／Ｏ構成要素１１６との間で読み出しおよび／または書き込むことができる。バス１１８は、コンピューティングデバイス６６の構成要素の各々の間の通信リンクを提供する。Ｉ／Ｏ構成要素１１６は、ユーザ１３０がコンピューティングデバイス６６と対話することを可能にする任意のデバイス、またはコンピューティングデバイス６６が１つもしくは複数の他のコンピューティングデバイスと通信することを可能にする任意のデバイスを含むことができる。入力／出力デバイス（キーボード、ディスプレイ、ポインティングデバイスなどを含むが、これらに限らない）を直接または介在するＩ／Ｏコントローラを通してシステムに結合することができる。
【００６３】
いずれにしても、コンピューティングデバイス６６は、ユーザ１３０がインストールしたコンピュータプログラムコードを実行することができる任意の汎用コンピューティング製品（例えば、パーソナルコンピュータ、サーバ、ハンドヘルドデバイスなど）を含むことができる。しかし、コンピューティングデバイス６６および制御システム６８は、本開示の様々な処理ステップを実行することができる様々な可能な同等のコンピューティングデバイスのうちの代表的なものに過ぎないことが理解される。この点において、他の実施形態では、コンピューティングデバイス６６は、特定の機能を実行するためのハードウェアおよび／またはコンピュータプログラムコードを含む任意の特定用途向けコンピューティング製品や、特定用途向けおよび汎用のハードウェア／ソフトウェアの組み合わせを含む任意のコンピューティング製品などを備えてもよい。いずれの場合も、プログラムコードおよびハードウェアは、それぞれ標準的なプログラミング技術およびエンジニアリング技術を用いて作ることができる。
【００６４】
同様に、コンピュータインフラストラクチャ１０２は、本開示を実施するための様々なタイプのコンピュータインフラストラクチャの例示に過ぎない。例えば、一実施形態では、本開示の様々な処理ステップを実行するために、コンピュータインフラストラクチャ１０２は、ネットワーク、共有メモリなどの任意のタイプの有線および／または無線の通信リンクを介して通信する２つ以上のコンピューティングデバイス（例えば、サーバクラスタ）を含む。通信リンクがネットワークを含む場合には、ネットワークは、１つまたは複数のタイプのネットワーク（例えば、インターネット、広域ネットワーク、ローカルエリアネットワーク、仮想専用ネットワークなど）の任意の組み合わせを含むことができる。またネットワークアダプタも、介在する専用ネットワークまたは公衆ネットワークを介して、データ処理システムが他のデータ処理システムまたはリモートプリンタもしくは記憶装置に結合できるように、システムに結合することができる。モデム、ケーブルモデム、およびイーサネットカードは、現在利用可能なタイプのネットワークアダプタのごく一部である。だが、コンピューティングデバイス間の通信は、様々なタイプの伝送技術の任意の組み合わせを利用することができる。
【００６５】
本明細書で前述したように、制御システム６８は、コンピューティングインフラストラクチャ１０２が発電プラントシステム１２の動作を制御することを可能にする。この場合、周囲条件データ１２０、動作特性データ１２２、動作異常データ１２４、動作特性閾値データ１２６、動作信頼度データ１２８、動作信頼度閾値データ１３０、発電プラント動作データ１３２、および残存耐用年数（ＲＵＬ）データ１３４を含む制御システム６８が示されている。これらのデータの各々の動作は、例えば、図２に示した処理Ｐ１からＰ１４に関して、本明細書でさらに説明される。しかし、図７に示す様々なデータのいくつかは、独立して実装され、組み合わされ、および／または、コンピュータインフラストラクチャ１０２に含まれる１つもしくは複数の別々のコンピューティングデバイスのためのメモリに格納され得ることが理解される。さらに、データおよび／または機能のいくつかは、実施されなくてもよく、あるいは追加のデータおよび／または機能が環境１００の一部として含まれてもよい。
【００６６】
図面のフローチャートおよびブロック図は、本開示の様々な実施形態による、システム、方法、およびコンピュータプログラム製品の可能な実施のアーキテクチャ、機能、および動作を示す。これに関して、フローチャートまたはブロック図における各ブロックは、モジュール、セグメント、またはコードの一部を表すことができ、それは、指定された論理機能を実現するための１つまたは複数の実行可能命令を含む。また留意すべきことは、いくつかの代替的な実施では、ブロックで説明した機能は図面で説明した順序と異なる順序で行われてもよい。例えば、連続して示す２つのブロックが、実際に、実質的に同時に実行されてもよいし、あるいはそれらのブロックが含まれる機能に応じて時には逆の順序で実行されてもよい。ブロック図およびフローチャートの各ブロック、ならびにブロック図および／またはフローチャートのブロックの組み合わせが、指定された機能もしくは動作を実行する専用のハードウェアベースのコンピュータシステム、あるいは専用ハードウェアおよびコンピュータ命令の組み合わせによって実現することができることもまた留意されたい。
【００６７】
本明細書で説明するように、様々なシステムおよび構成要素は、データを「取得」（例えば、発電プラントシステム１２の周囲条件データの取得、発電プラントシステム１２の構成要素の動作特性データの取得など）するものとして記載される。対応するデータは任意の解決策を使用して取得することができることが理解される。例えば、対応するシステム／構成要素は、データを生成し、および／または使用して、１つまたは複数のデータ記憶装置（例えばデータベース）からデータを取り出し、別のシステム／構成要素からデータを受信することなどができる。特定のシステム／構成要素によってデータが生成されない場合には、データを生成してシステム／構成要素に提供し、および／またはシステム／構成要素によるアクセスのためにデータを格納する、図示するシステム／構成要素とは別に、別のシステム／構成要素を実装できることが理解される。
【００６８】
当業者によって理解されるように、本開示は、システム、方法、またはコンピュータプログラム製品として具体化されてもよい。したがって、本開示は、完全にハードウェアの実施形態、完全にソフトウェアの実施形態（ファームウェア、常駐ソフトウェア、マイクロコード等を含む）、または、本明細書において「回路」、「モジュール」、および／もしくは「システム」とすべて一般的に呼ぶことができるソフトウェアおよびハードウェア態様を組み合わせた実施形態の形式をとることができる。さらに、本開示は、媒体内に具現化したコンピュータ使用可能プログラムコードを有する表現の任意の有形な媒体で具現化されるコンピュータプログラム製品の形態をとることができる。
【００６９】
１つまたは複数のコンピュータ使用可能または可読媒体の任意の組み合わせを用いることができる。コンピュータ使用可能媒体またはコンピュータ読取り可能媒体は、例えば、これらに限定されないが、電子、磁気、光学、電磁気、赤外線、または半導体システム、装置、デバイス、または伝搬媒体とすることができる。コンピュータ可読媒体のより具体的な例（非包括的リスト）には、１つまたは複数の配線を有する電気接続、ポータブル・コンピュータ・ディスケット、ランダム・アクセス・メモリ（ＲＡＭ）、リード・オンリ・メモリ（ＲＯＭ）、消去可能プログラマブル・リード・オンリ・メモリ（ＥＰＲＯＭまたはフラッシュ・メモリ）、光ファイバ、ポータブル・コンパクト・ディスク・リード・オンリ・メモリ（ＣＤ−ＲＯＭ）、光学ストレージデバイス、インターネットもしくはイントラネットなどをサポートする媒体などの伝送媒体、または磁気ストレージデバイスが含まれる。コンピュータ使用可能媒体またはコンピュータ可読媒体は、プログラムを印刷した紙や他の適切な媒体でもよく、プログラムは、例えば、その紙や他の媒体の光学スキャニングを介して電子的に取り込むことができ、次いで、必要に応じて、適切な方法で編集、解釈、または処理することができ、次いで、コンピュータメモリに格納することができることに留意されたい。本明細書の文脈では、コンピュータ使用可能またはコンピュータ可読媒体は、命令実行システム、装置、もしくはデバイスによって、またはそれと併せて使用されるプログラムを格納し、記憶し、通信し、伝搬し、または輸送することができる任意の媒体であってもよい。コンピュータ使用可能媒体は、ベースバンドにまたは搬送波の一部として具現化されたコンピュータ使用可能プログラムコードを有する伝搬されたデータ信号を含んでもよい。コンピュータ使用可能プログラムコードは、無線、有線、光ファイバケーブル、ＲＦなどを含むがこれらに限らない任意の適切な媒体を用いて送信することができる。
【００７０】
本開示の動作を実行するためのコンピュータプログラムコードは、１つまたは複数のプログラミング言語の任意の組み合わせで書き込むことができ、これらのプログラミング言語としては、Ｊａｖａ、Ｓｍａｌｌｔａｌｋ、Ｃ＋＋などのオブジェクト指向プログラミング言語、および「Ｃ」プログラミング言語もしくは類似のプログラミング言語などの従来の手続きプログラミング言語が挙げられる。プログラムコードは、完全にユーザのコンピュータで、部分的にユーザのコンピュータで、独立したソフトウェアパッケージとして、部分的にユーザのコンピュータで、部分的にリモートコンピュータで、または、完全にリモートコンピュータもしくはサーバで実行することができる。後者のシナリオでは、リモートコンピュータは、ローカルエリアネットワーク（ＬＡＮ）または広域ネットワーク（ＷＡＮ）を含む任意のタイプのネットワークを通してユーザのコンピュータに接続することができ、あるいは、外部コンピュータに（例えば、インターネットサービスプロバイダを用いてインターネットを通して）接続されてもよい。
【００７１】
本開示は、本開示の実施形態による、方法、装置（システム）、およびコンピュータプログラム製品のフローチャートおよび／またはブロック図を参照して本明細書に記載されている。フローチャートおよび／またはブロック図の各ブロックならびにフローチャートおよび／またはブロック図のブロックの組み合わせは、コンピュータプログラム命令によって実施することができることが理解されよう。これらのコンピュータプログラム命令は、機械を製造するために汎用コンピュータ、専用コンピュータ、または他のプログラム可能データ処理装置のプロセッサに供給されてもよく、これにより、コンピュータまたは他のプログラム可能データ処理装置のプロセッサによって実行されるこれらの命令は、フローチャートおよび／またはブロック図のブロックまたは複数のブロックで指定された機能／動作を実施するための手段をもたらす。
【００７２】
これらのコンピュータプログラム命令は、コンピュータまたは他のプログラム可能なデータ処理装置に対して特定の方法で機能するように指示することができるコンピュータ可読媒体に格納することもでき、そのようにして、コンピュータ可読媒体に格納された命令は、フローチャートおよび／またはブロック図の１つもしくは複数のブロックで指定される機能／動作を実行する命令手段を含む製造物を生成する。
【００７３】
コンピュータまたは他のプログラム可能な装置で一連の動作ステップを実行させてコンピュータ実行処理を生成するために、コンピュータプログラム命令をコンピュータまたは他のプログラム可能なデータ処理装置にロードすることもでき、そのようにして、コンピュータまたは他のプログラム可能な装置で実行される命令は、フローチャートおよび／またはブロック図の１つもしくは複数のブロックで指定される機能／動作を実行するための処理を提供する。
【００７４】
本明細書で使用される専門用語は、単に特定の実施形態を説明するためのものに過ぎず、本開示を限定するものではない。本明細書で使用する場合、単数形「１つの（ａ）」、「１つの（ａｎ）」および「この（ｔｈｅ）」は、特に明示しない限り、複数形も含むことが意図される。「備える（ｃｏｍｐｒｉｓｅ）」および／または「備えている（ｃｏｍｐｒｉｓｉｎｇ）」という用語は、本明細書で使用される場合、記載した特徴、整数、ステップ、動作、要素、および／または構成要素が存在することを明示するが、１つまたは複数の他の特徴、整数、ステップ、動作、要素、構成要素、および／またはそれらの組が存在することまたは追加することを除外しないことがさらに理解されよう。「任意の」または「任意に」は、後で述べられる事象または状況が、起こる場合も起こらない場合もあることを意味し、この記述は、その事象が起こる事例と、起こらない事例とを含むことを意味する。
【００７５】
明細書および特許請求の範囲の全体を通してここで使用する場合、近似を表す言葉は、関係する基本的な機能に変化をもたらすことなく、許容される形で変更すること可能な任意の量の表現を修飾するために適用され得る。したがって、「およそ」、「約」および「実質的に」などの用語で修飾された値は、明記された厳密な値に限定されるものではない。少なくともいくつかの例では、近似する文言は、値を測定するための機器の精度に対応することができる。ここで、ならびに本明細書および特許請求の範囲を通して、範囲の限定は組み合わせおよび／または置き換えが可能であり、文脈および文言が特に指示しない限り、このような範囲は識別され、それに包含されるすべての部分範囲を含む。範囲の特定の値に適用される「約」は、両方の値に適用され、値を測定する機器の精度に特に依存しない限り、記載された値（単数または複数）の＋／−１０％を示し得る。
【００７６】
添付の特許請求の範囲におけるミーンズプラスファンクションまたはステッププラスファンクションの要素すべての、対応する構造、材料、動作および均等物は、具体的に請求された他の請求要素と組み合わせてその機能を遂行するための、一切の構造、材料または動作を包含することが意図されている。本開示の記述は、例示および説明の目的で提示されたもので、網羅的であることも、または本開示を開示した形態に限定することも意図されていない。多くの変更および変形は、本開示の範囲および趣旨から逸脱することなく、当業者には明らかであろう。本開示の原理および実際の応用を最もよく説明し、想定される特定の使用に適するように様々な変更を伴う様々な実施形態の開示を他の当業者が理解できるようにするために、実施形態を選択し説明した。
［実施態様１］
システム（１０）であって、
構成要素（３６）を含む発電プラントシステム（１２）と、
前記発電プラントシステム（１２）と通信する少なくとも１つのコンピューティングデバイス（６６）とを備え、前記少なくとも１つのコンピューティングデバイス（６６）が、
前記発電プラントシステム（１２）の動作中に前記構成要素（３６）の動作異常（１２４）が発生したかどうかを判定するステップと、
前記動作異常（１２４）が発生しなかったと判定したことに応じて、
前記構成要素（３６）、または前記発電プラントシステム（１２）の少なくとも１つの動作特性（１２２）に基づいて前記構成要素（３６）の第１の動作信頼度（１２８）を判定するステップと、
前記動作異常（１２４）が発生したと判定したことに応じて、
前記判定された動作異常（１２４）と、前記構成要素（３６）、または前記発電プラントシステム（１２）の少なくとも１つの前記動作特性（１２２）とに基づいて前記構成要素（３６）の第２の動作信頼度（１２８）を判定するステップと、
前記第１の動作信頼度（１２８）または前記第２の動作信頼度（１２８）の一方が所定の動作信頼度閾値（１３０）を超えることに応じて、前記発電プラントシステム（１２）の動作を調整するステップと、
を含む処理を実行することによって前記発電プラントシステム（１２）を制御するよう構成される、
システム（１０）。
［実施態様２］
前記少なくとも１つのコンピューティングデバイス（６６）は、
前記構成要素（３６）の前記動作特性（１２２）を判定するステップと、
前記構成要素（３６）の前記判定された動作特性（１２２）を前記構成要素（３６）の動作特性閾値（１２６）と比較するステップと、
前記構成要素（３６）の前記判定された動作特性（１２２）が前記構成要素（３６）の前記動作特性閾値（１２６）と異なる場合を検出して、前記発電プラントシステム（１２）の動作中に前記構成要素（３６）の前記動作異常（１２４）が発生したことを判定するステップと、
を含む処理を実行することによって、前記発電プラントシステム（１２）の動作中に前記構成要素（３６）の前記動作異常（１２４）が発生したかどうかを判定するよう構成される、実施態様１に記載のシステム（１０）。
［実施態様３］
前記動作異常（１２４）が発生したと判定したことに応じて、前記発電プラントシステム（１２）を制御するために前記少なくとも１つのコンピューティングデバイス（６６）によって実行される前記処理が、
前記発電プラントシステム（１２）の動作中に発生する前記構成要素（３６）の動作異常（１２４）の回数を判定するステップと、
前記発電プラントシステム（１２）の動作中に前記構成要素（３６）の動作異常率を計算するステップと、
をさらに含む、実施態様１に記載のシステム（１０）。
［実施態様４］
前記少なくとも１つのコンピューティングデバイス（６６）が、
リアルタイムで前記構成要素（３６）の保守が必要となる確率、
リアルタイムで前記構成要素（３６）が故障する確率、
所定の、将来の時間に前記構成要素（３６）について保守が必要となる確率、
または前記所定の、将来の時間に前記構成要素（３６）が故障する確率、
の少なくとも１つを計算するステップ
を含む処理を実行することによって前記第１の動作信頼度（１２８）を判定するよう構成される、実施態様１に記載のシステム（１０）。
［実施態様５］
前記発電プラントシステム（１２）を制御するために前記少なくとも１つのコンピューティングデバイス（６６）によって実行される前記処理は、
前記第１の動作信頼度（１２８）に基づいて前記構成要素（３６）の第１の残存耐用年数（ＲＵＬ）情報を提供するステップ、
をさらに含み、
前記第１のＲＵＬ情報が、
前記構成要素（３６）の保守が必要となる前の前記構成要素（３６）の動作時間、
前記構成要素（３６）の保守が必要となる前の前記構成要素（３６）の起動回数、
前記構成要素（３６）の前記故障の前の前記構成要素（３６）の動作時間、または、
前記構成要素（３６）の前記故障の前の前記構成要素（３６）の起動回数、
の少なくとも１つを含む、
実施態様４に記載のシステム（１０）。
［実施態様６］
前記少なくとも１つのコンピューティングデバイス（６６）が、
リアルタイムで前記構成要素（３６）の保守が必要となる確率、
リアルタイムで前記構成要素（３６）が故障する確率、
所定の、将来の時間に前記構成要素（３６）について保守が必要となる確率、
または前記所定の、将来の時間に前記構成要素（３６）が故障する確率、
の少なくとも１つを計算するステップ
を含む処理を実行することによって前記第２の動作信頼度（１２８）を判定するよう構成される、実施態様１に記載のシステム（１０）。
［実施態様７］
前記発電プラントシステム（１２）を制御するために前記少なくとも１つのコンピューティングデバイス（６６）によって実行される前記処理は、
前記第２の動作信頼度（１２８）に基づいて前記構成要素（３６）の第２の残存耐用年数（ＲＵＬ）情報を提供するステップ、をさらに含み、前記第２のＲＵＬ情報が、
前記構成要素（３６）の保守が必要となる前の前記構成要素（３６）の動作時間、
前記構成要素（３６）の保守が必要となる前の前記構成要素（３６）の起動回数、
前記構成要素（３６）の前記故障の前の前記構成要素（３６）の動作時間、または、
前記構成要素（３６）の前記故障の前の前記構成要素（３６）の起動回数、
の少なくとも１つを含む、
実施態様６に記載のシステム（１０）。
［実施態様８］
前記発電プラントシステム（１２）によって生成される電力出力を低減するステップ、または
前記発電プラントシステム（１２）の動作を停止するステップ、
の一方を含む処理を実行することによって、前記少なくとも１つのコンピューティングデバイス（６６）が前記発電プラントシステム（１２）の前記動作を調整するよう構成される、実施態様１に記載のシステム（１０）。
［実施態様９］
前記発電プラントシステム（１２）を制御するために前記少なくとも１つのコンピューティングデバイス（６６）によって実行される前記処理は、
前記構成要素（３６）を含む前記発電プラントシステム（１２）の周囲条件（１２０）を判定するステップ、
をさらに含み、
前記構成要素（３６）の前記判定された第１の動作信頼度（１２８）が、前記発電プラントシステム（１２）の前記周囲条件（１２０）に基づいており、
前記構成要素（３６）の前記判定された第２の動作信頼度（１２８）が、前記発電プラントシステム（１２）の前記周囲条件（１２０）に基づく、
実施態様１に記載のシステム。
［実施態様１０］
プログラムコードを備えるコンピュータプログラム製品であって、前記プログラムコードは、少なくとも１つのコンピューティングデバイス（６６）によって実行される場合、前記少なくとも１つのコンピューティングデバイス（６６）に、処理を実行することによって、構成要素（３６）を含む発電プラントシステム（１２）を制御させ、前記処理は、
前記構成要素（３６）の動作異常（１２４）が前記発電プラントシステム（１２）の動作中に発生したかどうかを判定するステップと、
前記動作異常（１２４）が発生しなかったと判定したことに応じて、
前記構成要素（３６）、または前記発電プラントシステム（１２）の少なくとも１つの動作特性（１２２）に基づいて前記構成要素（３６）の第１の動作信頼度（１２８）を判定するステップと、
前記動作異常（１２４）が発生したと判定したことに応じて、
前記判定された動作異常（１２４）と、前記構成要素（３６）、または前記発電プラントシステム（１２）の少なくとも１つの前記動作特性（１２２）とに基づいて前記構成要素（３６）の第２の動作信頼度（１２８）を判定するステップと、
前記第１の動作信頼度（１２８）または前記第２の動作信頼度（１２８）の一方が所定の動作信頼度閾値（１３０）を超えることに応じて前記発電プラントシステム（１２）の動作を調整するステップと、
を含む、コンピュータプログラム製品。
［実施態様１１］
前記発電プラントシステム（１２）の動作中に前記構成要素（３６）の前記動作異常（１２４）が発生したかどうかを判定する前記ステップが、
前記構成要素（３６）の前記動作特性（１２２）を判定するステップと、
前記構成要素（３６）の前記判定された動作特性（１２２）を前記構成要素（３６）の動作特性閾値（１２６）と比較するステップと、
前記構成要素（３６）の前記判定された動作特性（１２２）が前記構成要素（３６）の前記動作特性閾値（１２６）から変化した場合を検出して、前記構成要素（３６）の前記動作異常（１２４）が前記発電プラントシステム（１２）の動作中に発生したと判定するステップと、
を含む、実施態様１０に記載のコンピュータプログラム製品。
［実施態様１２］
前記動作異常（１２４）が発生したと判定したことに応じて、前記プログラムコードが、前記少なくとも１つのコンピューティングデバイス（６６）に、処理を実行することによって、前記構成要素（３６）を含む前記発電プラントシステム（１２）を制御させ、前記処理が、
前記発電プラントシステム（１２）の動作中に発生した前記構成要素（３６）の動作異常（１２４）の回数を判定するステップと、
前記発電プラントシステム（１２）の動作中に前記構成要素（３６）の動作異常率を計算するステップと、
を含む、実施態様１０に記載のコンピュータプログラム製品。
［実施態様１３］
前記構成要素（３６）の前記第１の動作信頼度（１２８）を判定する前記ステップが、
リアルタイムで前記構成要素（３６）の保守が必要となる確率、
リアルタイムで前記構成要素（３６）が故障する確率、
所定の、将来の時間に前記構成要素（３６）について保守が必要となる確率、または
前記所定の、将来の時間に前記構成要素（３６）が故障する確率、
の少なくとも１つを計算するステップ
を含む、実施態様１０に記載のコンピュータプログラム製品。
［実施態様１４］
前記プログラムコードが、前記少なくとも１つのコンピューティングデバイス（６６）に、処理を実行することによって、前記構成要素（３６）を含む前記発電プラントシステム（１２）を制御させ、前記処理が、
前記第１の動作信頼度（１２８）に基づいて前記構成要素（３６）の第１の残存耐用年数（ＲＵＬ）情報を提供するステップ、を含み、前記第１のＲＵＬ情報が、
前記構成要素（３６）の保守が必要となる前の前記構成要素（３６）の動作時間、
前記構成要素（３６）の保守が必要となる前の前記構成要素（３６）の起動回数、
前記構成要素（３６）の前記故障の前の前記構成要素（３６）の動作時間、または、
前記構成要素（３６）の前記故障の前の前記構成要素（３６）の起動回数、
の少なくとも１つを含む、
実施態様１３に記載のコンピュータプログラム製品。
［実施態様１５］
前記構成要素（３６）の前記第２の動作信頼度（１２８）を判定する前記ステップが、
リアルタイムで前記構成要素（３６）の保守が必要となる確率、
リアルタイムで前記構成要素（３６）が故障する確率、
所定の、将来の時間に前記構成要素（３６）について保守が必要となる確率、または
前記所定の、将来の時間に前記構成要素（３６）が故障する確率、
の少なくとも１つを計算するステップ
を含む、実施態様１０に記載のコンピュータプログラム製品。
［実施態様１６］
前記プログラムコードが、前記少なくとも１つのコンピューティングデバイス（６６）に、処理を実行することによって、前記構成要素（３６）を含む前記発電プラントシステム（１２）を制御させ、前記処理が、
前記第２の動作信頼度（１２８）に基づいて前記構成要素（３６）の第２の残存耐用年数（ＲＵＬ）情報を提供するステップ、を含み、前記第２のＲＵＬ情報が、
前記構成要素（３６）の保守が必要となる前の前記構成要素（３６）の動作時間、
前記構成要素（３６）の保守が必要となる前の前記構成要素（３６）の起動回数、
前記構成要素（３６）の前記故障の前の前記構成要素（３６）の動作時間、または、
前記構成要素（３６）の前記故障の前の前記構成要素（３６）の起動回数、
の少なくとも１つを含む、
実施態様１５に記載のコンピュータプログラム製品。
［実施態様１７］
前記発電プラントシステム（１２）の前記動作を調整する前記ステップが、
前記発電プラントシステム（１２）によって生成される電力出力を低減するステップ、または
前記発電プラントシステム（１２）の動作を停止するステップ、
の一方を含む、実施態様１０に記載のコンピュータプログラム製品。
［実施態様１８］
構成要素（３６）を含む発電プラントシステム（１２）を制御する方法であって、前記方法が、
前記構成要素（３６）の動作異常（１２４）が前記発電プラントシステム（１２）の動作中に発生したかどうかを判定するステップと、
前記動作異常（１２４）が発生しなかったと判定したことに応じて、
前記構成要素（３６）、または前記発電プラントシステム（１２）の少なくとも１つの動作特性（１２２）に基づいて前記構成要素（３６）の第１の動作信頼度（１２８）を判定するステップと、
前記動作異常（１２４）が発生したと判定したことに応じて、
前記判定された動作異常（１２４）と、前記構成要素（３６）、または前記発電プラントシステム（１２）の少なくとも１つの前記動作特性（１２２）とに基づいて前記構成要素（３６）の第２の動作信頼度（１２８）を判定するステップと、
前記第１の動作信頼度（１２８）または前記第２の動作信頼度（１２８）の一方が所定の動作信頼度閾値（１３０）を超えることに応じて前記発電プラントシステム（１２）の動作を調整するステップと、
を備える、方法。
［実施態様１９］
前記発電プラントシステム（１２）の動作中に前記構成要素（３６）の前記動作異常（１２４）が発生したかどうかを判定するステップが、
前記構成要素（３６）の前記動作特性（１２２）を判定するステップと、
前記構成要素（３６）の前記判定された動作特性（１２２）を前記構成要素（３６）の動作特性閾値（１２６）と比較するステップと、
前記構成要素（３６）の前記判定された動作特性（１２２）が前記構成要素（３６）の前記動作特性閾値（１２６）から変化した場合を検出して、前記構成要素（３６）の前記動作異常（１２４）が前記発電プラントシステム（１２）の動作中に発生したと判定するステップと、
前記発電プラントシステム（１２）の動作中に発生した前記構成要素（３６）の動作異常（１２４）の回数を判定するステップと、
前記発電プラントシステム（１２）の動作中に前記構成要素（３６）の動作異常率を計算するステップと、
を含む、実施態様１８に記載の方法。
［実施態様２０］
前記構成要素（３６）を含む前記発電プラントシステム（１２）の周囲条件（１２０）を判定するステップ、
をさらに備え、
前記構成要素（３６）の前記判定された第１の動作信頼度（１２８）が、前記発電プラントシステム（１２）の前記周囲条件（１２０）に基づいており、
前記構成要素（３６）の前記判定された第２の動作信頼度（１２８）が、前記発電プラントシステム（１２）の前記周囲条件（１２０）に基づく、
実施態様１８に記載の方法。
【符号の説明】
【００７７】
１０  システム
１２  複合サイクル発電プラントシステム
１８  蒸気タービン（ＳＴ）システム
２０  高圧（ＨＰ）部分
２２  中圧（ＩＰ）部分
２４  低圧（ＬＰ）部分
２６  シャフト
２８  発電機
３０  ガスタービン（ＧＴ）システム
３２  圧縮機
３４  流体
３６  ステータベーン
３８  圧縮流体
４０  燃焼器
４２  燃料
４４  燃料供給源
４６  燃焼ガス
４８  タービン部品
５０  回転シャフト
５１  発電機
５２  ロータ軸受
５４  熱回収蒸気発生器（ＨＲＳＧ）
５６  排気導管
５８  供給導管
６０  排気チャネル
６１  スタック
６２  凝縮器
６４  蒸気排出ダクト
６６  コンピューティングデバイス
６８  制御システム
７０  センサ
１００  例示的な環境
１０２  コンピュータインフラストラクチャ、コンピューティングインフラストラクチャ
１１２  記憶構成要素
１１４  処理構成要素
１１６  入力／出力（Ｉ／Ｏ）構成要素
１１８  バス
１２０  周囲条件データ
１２２  動作特性データ
１２４  動作異常データ
１２６  動作特性閾値データ
１２８  動作信頼度データ
１３０  ユーザ、動作信頼度閾値データ
１３２  発電プラント動作データ
１３４  残存耐用年数ＲＵＬデータ
【図１】
2018185803.tif 000003
【図２】
2018185803.tif 000004
【図３】
2018185803.tif 000005
【図４】
2018185803.tif 000006
【図５】
2018185803.tif 000007
【図６】
2018185803.tif 000008
【図７】
2018185803.tif 000009
【外国語明細書】
2018185803000001.pdf